(57)【特許請求の範囲】
【請求項１】
電子商取引の対象となる商品の出品にあたり出品者により設定される設定項目の入力フォームの表示用データを、前記出品者の端末装置へ送信する情報処理装置であって、
出品される商品の商品情報と、当該商品の出品にあたり出品者により設定される設定項目の一部に対して当該出品者により入力された入力内容を示す入力情報とを前記端末装置から受信する受信手段と、
過去に出品された商品の取引履歴情報を記憶する記憶手段から、前記受信手段により受信された前記商品情報に関連する商品の取引履歴情報を取得する取得手段と、
前記受信手段により受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定する出品目的特定手段と、
前記出品目的特定手段により特定された前記出品目的に適合する他の商品の取引履歴情報を、前記取得手段により取得された前記取引履歴情報から適合取引履歴情報として抽出する抽出手段と、
前記抽出手段により抽出された前記適合取引履歴情報に基づいて、前記設定項目に対する模擬入力内容を示す提示情報を生成する生成手段と、
前記生成手段により生成された前記提示情報を前記端末装置へ送信する送信手段と、
を備えることを特徴とする情報処理装置。
【請求項２】
電子商取引の対象となる商品の出品にあたり出品者により設定される設定項目の入力フォームの表示用データを、前記出品者の端末装置へ送信する情報処理装置であって、
出品される商品の商品情報を前記端末装置から受信する受信手段と、
過去に出品された商品の取引履歴情報を記憶する記憶手段から、前記受信手段により受信された前記商品情報に関連する商品の取引履歴情報を取得する取得手段と、
前記出品者による前記商品の出品目的を特定する出品目的特定手段と、
前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、
前記抽出手段により抽出された前記適合取引履歴情報と前記不適合取引履歴情報との間において同一の前記設定項目のうち相違する内容が設定された前記設定項目を特定する第１設定項目特定手段と、
前記第１設定項目特定手段により特定された前記設定項目に対して設定された内容に基づいて、当該設定項目に対する模擬入力内容を示す提示情報を生成する生成手段と、
前記生成手段により生成された前記提示情報を前記端末装置へ送信する送信手段と、
を備えることを特徴とする情報処理装置。
【請求項３】
前記生成手段は、前記適合取引履歴情報における前記設定項目に対して設定された内容を前記模擬入力内容として示すとともに、当該模擬入力内容と、前記不適合取引履歴情報における前記設定項目に設定された内容とを比較可能に示す提示情報を生成し、前記送信手段は、当該提示情報を前記端末装置へ送信することを特徴とする請求項２に記載の情報処理装置。
【請求項４】
電子商取引の対象となる商品の出品にあたり出品者により設定される設定項目の入力フォームの表示用データを、前記出品者の端末装置へ送信する情報処理装置であって、
出品される商品の商品情報と、当該商品の出品にあたり出品者により設定される設定項目の一部に対して当該出品者により入力された入力内容を示す入力情報とを前記端末装置から受信する受信手段と、
過去に出品された商品の取引履歴情報を記憶する記憶手段から、前記受信手段により受信された前記商品情報に関連する商品の取引履歴情報を取得する取得手段と、
前記受信手段により受信された前記入力情報に基づいて、前記出品者による前記商品の出品目的を特定する出品目的特定手段と、
前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、
前記抽出手段により抽出された前記適合取引履歴情報と前記不適合取引履歴情報との間において同一の前記設定項目のうち相違する内容が設定された前記設定項目を特定する第１設定項目特定手段と、
前記受信手段により受信された前記入力情報と前記抽出手段により抽出された前記適合取引履歴情報との間において同一の前記設定項目のうち相違する内容が設定された前記設定項目を前記適合取引履歴情報から特定する第２設定項目特定手段と、
前記第１設定項目特定手段により特定された前記設定項目であり且つ前記第２設定項目特定手段により特定された前記設定項目に対して設定された内容に基づいて、当該設定項目に対する模擬入力内容を示す提示情報を生成する生成手段と、
前記生成手段により生成された前記提示情報を前記端末装置へ送信する送信手段と、
を備えることを特徴とする情報処理装置。
【請求項５】
前記情報処理装置は、
前記第２設定項目特定手段により特定された前記設定項目に対して設定された内容と、当該設定項目と同一の前記設定項目に対して入力された前記入力内容との間の相違の大きさを示す差分値を算出し、当該算出した差分値が閾値以上であるか否を判定する判定手段を更に備え、
前記判定手段により閾値以上であると判定された場合に、前記生成手段は、前記提示情報を生成し、前記送信手段は、当該提示情報を前記端末装置へ送信することを特徴とする請求項４に記載の情報処理装置。
【請求項６】
前記生成手段は、前記模擬入力内容を示すとともに、前記出品者に対して入力の注意を促す情報を示す提示情報を生成し、前記送信手段は、当該提示情報を前記端末装置へ送信することを特徴とする請求項４または５に記載の情報処理装置。
【請求項７】
前記抽出手段は、前記取得手段により取得された複数の前記取引履歴情報から、前記出品目的に最も適合する前記取引履歴情報を前記適合取引履歴情報として抽出することを特徴とする請求項１乃至６の何れか一項に記載の情報処理装置。
【請求項８】
前記抽出手段は、前記取得手段により取得された複数の前記取引履歴情報から、前記出品目的に適合する度合が高い所定順位以上の複数の前記取引履歴情報を前記適合取引履歴情報として抽出することを特徴とする請求項１乃至６の何れか一項に記載の情報処理装置。
【請求項９】
前記情報処理装置は、
前記抽出手段により抽出された前記所定順位以上の複数の前記適合取引履歴情報の間において同一の前記設定項目のうち所定割合以上共通する内容が設定された前記設定項目を特定する第３設定項目特定手段を更に備え、
前記生成手段は、前記第３設定項目特定手段により特定された前記設定項目に対して設定された内容に基づいて、当該設定項目に対する模擬入力内容を示す提示情報を生成し、前記送信手段は、当該提示情報を前記端末装置へ送信することを特徴とする請求項８に記載の情報処理装置。
【請求項１０】
前記抽出手段は、前記端末装置を使用する前記出品者が業者と個人の何れの属性であるかを判別し、且つ、前記取得手段により取得された前記取引履歴情報に示される前記商品の出品者が業者と個人の何れの属性であるかを前記取引履歴情報毎に判別し、前記端末装置を使用する前記出品者と同じ属性である他の出品者により過去に出品された商品の取引履歴情報であって、且つ前記出品目的に適合する前記取引履歴情報を前記適合取引履歴情報として抽出することを特徴とする請求項１乃至９の何れか一項に記載の情報処理装置。
【請求項１１】
前記抽出手段は、他の商品と比べて目立つ態様で表示されるように設定された商品の取引履歴情報を抽出対象から除外することを特徴とする請求項１乃至１０の何れか一項に記載の情報処理装置。
【請求項１２】
前記抽出手段は、前記取得手段により取得された複数の前記取引履歴情報から、他の商品と比べて目立つ態様で表示されるように設定された商品の取引履歴情報を前記適合取引履歴情報として抽出することを特徴とする請求項１乃至１０の何れか一項に記載の情報処理装置。
【請求項１３】
前記取得手段は、前記商品情報の一部又は全部を含む商品に関する取引履歴情報を取得し、
前記抽出手段は、前記取得手段により取得された複数の前記取引履歴情報から、前記出品目的に適合する複数の前記取引履歴情報を前記適合取引履歴情報として抽出し、
前記情報処理装置は、
前記抽出手段により抽出された複数の前記適合取引履歴情報を比較して、前記出品目的に最も適合する前記適合取引履歴情報を特定する適合取引履歴情報特定手段を更に備え、
前記生成手段は、前記適合取引履歴情報特定手段により特定された前記適合取引履歴情報に基づいて、前記設定項目に対する模擬入力内容を示す提示情報を生成し、前記送信手段は、当該提示情報を前記端末装置へ送信することを特徴とする請求項１乃至１２の何れか一項に記載の情報処理装置。
【請求項１４】
電子商取引の対象となる商品の出品にあたり出品者により設定される設定項目の入力フォームの表示用データを、前記出品者の端末装置へ送信するコンピュータにより実行される情報処理方法であって、
出品される商品の商品情報と、当該商品の出品にあたり出品者により設定される設定項目の一部に対して当該出品者により入力された入力内容を示す入力情報とを前記端末装置から受信するステップと、
過去に出品された商品の取引履歴情報を記憶する記憶手段から、前記受信された前記商品情報に関連する商品の取引履歴情報を取得するステップと、
前記受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定するステップと、
前記特定された前記出品目的に適合する他の商品の取引履歴情報を、前記取得された前記取引履歴情報から適合取引履歴情報として抽出するステップと、
前記抽出された前記適合取引履歴情報に基づいて、前記設定項目に対する模擬入力内容を示す提示情報を生成するステップと、
前記生成された前記提示情報を前記端末装置へ送信するステップと、
を含むことを特徴とする情報処理方法。
【請求項１５】
電子商取引の対象となる商品の出品にあたり出品者により設定される設定項目の入力フォームの表示用データを、前記出品者の端末装置へ送信するコンピュータにより実行される情報処理方法であって、
出品される商品の商品情報を前記端末装置から受信するステップと、
過去に出品された商品の取引履歴情報を記憶する記憶手段から、前記受信された前記商品情報に関連する商品の取引履歴情報を取得するステップと、
前記出品者による前記商品の出品目的を特定するステップと、
前記特定された前記出品目的に適合する他の商品の取引履歴情報を前記取得された前記取引履歴情報から適合取引履歴情報として抽出し、且つ、前記出品目的に適合しない他の商品の取引履歴情報を前記取引履歴情報から不適合取引履歴情報として抽出するステップと、
前記抽出された前記適合取引履歴情報と前記不適合取引履歴情報との間において同一の前記設定項目のうち相違する内容が設定された前記設定項目を特定するステップと、
前記特定された前記設定項目に対して設定された内容に基づいて、当該設定項目に対する模擬入力内容を示す提示情報を生成するステップと、
前記生成された前記提示情報を前記端末装置へ送信するステップと、
を含むことを特徴とする情報処理方法。
【請求項１６】
電子商取引の対象となる商品の出品にあたり出品者により設定される設定項目の入力フォームの表示用データを、前記出品者の端末装置へ送信するコンピュータにより実行される情報処理方法であって、
出品される商品の商品情報と、当該商品の出品にあたり出品者により設定される設定項目の一部に対して当該出品者により入力された入力内容を示す入力情報とを前記端末装置から受信するステップと、
過去に出品された商品の取引履歴情報を記憶する記憶手段から、前記受信された前記商品情報に関連する商品の取引履歴情報を取得するステップと、
前記受信された前記入力情報に基づいて、前記出品者による前記商品の出品目的を特定するステップと、
前記特定された前記出品目的に適合する他の商品の取引履歴情報を前記取得された前記取引履歴情報から適合取引履歴情報として抽出し、且つ、前記出品目的に適合しない他の商品の取引履歴情報を前記取引履歴情報から不適合取引履歴情報として抽出するステップと、
前記抽出された前記適合取引履歴情報と前記不適合取引履歴情報との間において同一の前記設定項目のうち相違する内容が設定された前記設定項目を特定する第１設定項目特定ステップと、
前記受信された前記入力情報と前記抽出された前記適合取引履歴情報との間において同一の前記設定項目のうち相違する内容が設定された前記設定項目を前記適合取引履歴情報から特定する第２設定項目特定ステップと、
前記第１設定項目特定ステップにより特定された前記設定項目であり且つ前記第２設定項目特定ステップにより特定された前記設定項目に対して設定された内容に基づいて、当該設定項目に対する模擬入力内容を示す提示情報を生成するステップと、
前記生成された前記提示情報を前記端末装置へ送信するステップと、
を含むことを特徴とする情報処理方法。
【請求項１７】
電子商取引の対象となる商品の出品にあたり出品者により設定される設定項目の入力フォームの表示用データを、前記出品者の端末装置へ送信するコンピュータを、
出品される商品の商品情報と、当該商品の出品にあたり出品者により設定される設定項目の一部に対して当該出品者により入力された入力内容を示す入力情報とを前記端末装置から受信する受信手段と、
過去に出品された商品の取引履歴情報を記憶する記憶手段から、前記受信手段により受信された前記商品情報に関連する商品の取引履歴情報を取得する取得手段と、
前記受信手段により受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定する出品目的特定手段と、
前記出品目的特定手段により特定された前記出品目的に適合する他の商品の取引履歴情報を、前記取得手段により取得された前記取引履歴情報から適合取引履歴情報として抽出する抽出手段と、
前記抽出手段により抽出された前記適合取引履歴情報に基づいて、前記設定項目に対する模擬入力内容を示す提示情報を生成する生成手段と、
前記生成手段により生成された前記提示情報を前記端末装置へ送信する送信手段として機能させることを特徴とする情報処理プログラム。
【請求項１８】
電子商取引の対象となる商品の出品にあたり出品者により設定される設定項目の入力フォームの表示用データを、前記出品者の端末装置へ送信するコンピュータを、
出品される商品の商品情報を前記端末装置から受信する受信手段と、
過去に出品された商品の取引履歴情報を記憶する記憶手段から、前記受信手段により受信された前記商品情報に関連する商品の取引履歴情報を取得する取得手段と、
前記出品者による前記商品の出品目的を特定する出品目的特定手段と、
前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、
前記抽出手段により抽出された前記適合取引履歴情報と前記不適合取引履歴情報との間において同一の前記設定項目のうち相違する内容が設定された前記設定項目を特定する第１設定項目特定手段と、
前記第１設定項目特定手段により特定された前記設定項目に対して設定された内容に基づいて、当該設定項目に対する模擬入力内容を示す提示情報を生成する生成手段と、
前記生成手段により生成された前記提示情報を前記端末装置へ送信する送信手段として機能させることを特徴とする情報処理プログラム。
【請求項１９】
電子商取引の対象となる商品の出品にあたり出品者により設定される設定項目の入力フォームの表示用データを、前記出品者の端末装置へ送信するコンピュータを、
出品される商品の商品情報と、当該商品の出品にあたり出品者により設定される設定項目の一部に対して当該出品者により入力された入力内容を示す入力情報とを前記端末装置から受信する受信手段と、
過去に出品された商品の取引履歴情報を記憶する記憶手段から、前記受信手段により受信された前記商品情報に関連する商品の取引履歴情報を取得する取得手段と、
前記受信手段により受信された前記入力情報に基づいて、前記出品者による前記商品の出品目的を特定する出品目的特定手段と、
前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、
前記抽出手段により抽出された前記適合取引履歴情報と前記不適合取引履歴情報との間において同一の前記設定項目のうち相違する内容が設定された前記設定項目を特定する第１設定項目特定手段と、
前記受信手段により受信された前記入力情報と前記抽出手段により抽出された前記適合取引履歴情報との間において同一の前記設定項目のうち相違する内容が設定された前記設定項目を前記適合取引履歴情報から特定する第２設定項目特定手段と、
前記第１設定項目特定手段により特定された前記設定項目であり且つ前記第２設定項目特定手段により特定された前記設定項目に対して設定された内容に基づいて、当該設定項目に対する模擬入力内容を示す提示情報を生成する生成手段と、
前記生成手段により生成された前記提示情報を前記端末装置へ送信する送信手段として機能させることを特徴とする情報処理プログラム。
【発明の詳細な説明】
【技術分野】
【０００１】
本発明は、ネットワークを介した電子商取引において、商品の出品にあたり設定される設定項目の入力フォームへの出品者による入力を支援することが可能な情報処理装置等の技術分野に関する。
【背景技術】
【０００２】
従来から、ネットワークを介して行われる電子商取引の一つとしてオークション（ネットオークションともいう）が知られている。このオークションでは、オークションサイトの利用手続を経たユーザが自身の端末装置からオークションサイトにアクセスしてオークションに商品を出品することが可能になっている。出品者は、オークションに商品を出品する際に、出品に関する種々の設定項目に設定すべき出品条件等を入力する必要がある。なお、設定項目としては、例えば、出品期間、開始価格、決済方法、配送方法、商品説明、商品画像、オプション設定（エスクロー／保証サービスなど）等が挙げられる。
【０００３】
ところで、上記設定項目に設定すべき事項を入力する作業は出品者にとって煩雑である場合がある。また、出品者はどの程度の開始価格や出品期間を設定すれば好条件で売買できるかわからない場合がある。このような点に鑑み、特許文献１に開示された技術では、出品者の端末から受信した出品依頼商品の画像データの特徴量を算出し、算出した特徴量と各出品済商品の画像データの特徴量とから類似度を算出し、この類似度に基づいて出品情報を抽出してこれを出品者の端末に送信するようになっている。この技術によれば、出品依頼商品の画像に類似する出品済商品の出品情報に基づいて、出品依頼商品の出品依頼条件を設定し、出品依頼商品についての入札公開を行うことができ、その結果、より好条件での売買が可能となる。
【先行技術文献】
【特許文献】
【０００４】
【特許文献１】特開２００５−１０７９５２号公報
【発明の概要】
【発明が解決しようとする課題】
【０００５】
しかしながら、上述した特許文献１の技術においては、出品依頼商品の画像に類似する画像に設定されている出品情報を利用するだけであり、例えば「高く売りたい」、「売り切りたい」、「早期入札して欲しい」などの出品時の出品者による商品の出品目的に応じた適切な出品条件等を設定することは困難であった。
【０００６】
本発明は、以上の問題等に鑑みてなされたものであり、商品の出品目的に応じた適切な出品条件等を設定できる情報を出品者に提示可能な情報処理装置、情報処理方法、情報処理プログラム、及び情報処理プログラムが記録された記録媒体を提供することを課題とする。
【課題を解決するための手段】
【０００７】
上記課題を解決するために、請求項１に記載の発明は、電子商取引の対象となる商品の出品にあたり出品者により設定される設定項目の入力フォームの表示用データを、前記出品者の端末装置へ送信する情報処理装置であって、出品される商品の商品情報と、当該商品の出品にあたり出品者により設定される設定項目の一部に対して当該出品者により入力された入力内容を示す入力情報とを前記端末装置から受信する受信手段と、過去に出品された商品の取引履歴情報を記憶する記憶手段から、前記受信手段により受信された前記商品情報に関連する商品の取引履歴情報を取得する取得手段と、前記受信手段により受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定する出品目的特定手段と、前記出品目的特定手段により特定された前記出品目的に適合する他の商品の取引履歴情報を、前記取得手段により取得された前記取引履歴情報から適合取引履歴情報として抽出する抽出手段と、前記抽出手段により抽出された前記適合取引履歴情報に基づいて、前記設定項目に対する模擬入力内容を示す提示情報を生成する生成手段と、前記生成手段により生成された前記提示情報を前記端末装置へ送信する送信手段と、を備えることを特徴とする。
【０００８】
この発明によれば、出品者が商品を出品する際に、当該出品者による商品の出品目的に適合する他の商品の取引履歴情報に基づいて、当該出品にあたり設定される設定項目に対する模擬入力内容を示す提示情報が生成され、当該提示情報が出品者の端末装置に送信されるので、商品の出品目的に応じた適切な出品条件等を設定できる情報を出品者に効果的に提示することができる。
【０００９】
請求項２に記載の発明は、電子商取引の対象となる商品の出品にあたり出品者により設定される設定項目の入力フォームの表示用データを、前記出品者の端末装置へ送信する情報処理装置であって、出品される商品の商品情報を前記端末装置から受信する受信手段と、過去に出品された商品の取引履歴情報を記憶する記憶手段から、前記受信手段により受信された前記商品情報に関連する商品の取引履歴情報を取得する取得手段と、前記出品者による前記商品の出品目的を特定する出品目的特定手段と、前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、前記抽出手段により抽出された前記適合取引履歴情報と前記不適合取引履歴情報との間において同一の前記設定項目のうち相違する内容が設定された前記設定項目を特定する第１設定項目特定手段と、前記第１設定項目特定手段により特定された前記設定項目に対して設定された内容に基づいて、当該設定項目に対する模擬入力内容を示す提示情報を生成する生成手段と、前記生成手段により生成された前記提示情報を前記端末装置へ送信する送信手段と、を備えることを特徴とする。
【００１０】
この発明によれば、商品の出品目的に応じた、より精度の高い情報を出品者に効果的に提示することができる。
【００１１】
請求項３に記載の発明は、請求項２に記載の情報処理装置において、前記生成手段は、前記適合取引履歴情報における前記設定項目に対して設定された内容を前記模擬入力内容として示すとともに、当該模擬入力内容と、前記不適合取引履歴情報における前記設定項目に設定された内容とを比較可能に示す提示情報を生成し、前記送信手段は、当該提示情報を前記端末装置へ送信することを特徴とする。
【００１２】
この発明によれば、出品者に対して、出品目的に影響する設定項目を一目で把握させることができるとともに、上記模擬入力内容からどの程度変更した場合、出品目的に合わなくなるかを把握させることができる。
【００１３】
請求項４に記載の発明は、電子商取引の対象となる商品の出品にあたり出品者により設定される設定項目の入力フォームの表示用データを、前記出品者の端末装置へ送信する情報処理装置であって、出品される商品の商品情報と、当該商品の出品にあたり出品者により設定される設定項目の一部に対して当該出品者により入力された入力内容を示す入力情報とを前記端末装置から受信する受信手段と、過去に出品された商品の取引履歴情報を記憶する記憶手段から、前記受信手段により受信された前記商品情報に関連する商品の取引履歴情報を取得する取得手段と、前記受信手段により受信された前記入力情報に基づいて、前記出品者による前記商品の出品目的を特定する出品目的特定手段と、前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、前記抽出手段により抽出された前記適合取引履歴情報と前記不適合取引履歴情報との間において同一の前記設定項目のうち相違する内容が設定された前記設定項目を特定する第１設定項目特定手段と、前記受信手段により受信された前記入力情報と前記抽出手段により抽出された前記適合取引履歴情報との間において同一の前記設定項目のうち相違する内容が設定された前記設定項目を前記適合取引履歴情報から特定する第２設定項目特定手段と、前記第１設定項目特定手段により特定された前記設定項目であり且つ前記第２設定項目特定手段により特定された前記設定項目に対して設定された内容に基づいて、当該設定項目に対する模擬入力内容を示す提示情報を生成する生成手段と、前記生成手段により生成された前記提示情報を前記端末装置へ送信する送信手段と、を備えることを特徴とする。
【００１４】
この発明によれば、出品者が入力した設定項目の中で、出品目的に影響する設定項目を把握させることができる。
【００１７】
請求項５に記載の発明は、請求項４に記載の情報処理装置において、前記情報処理装置は、前記第２設定項目特定手段により特定された前記設定項目に対して設定された内容と、当該設定項目と同一の前記設定項目に対して入力された前記入力内容との間の相違の大きさを示す差分値を算出し、当該算出した差分値が閾値以上であるか否を判定する判定手段を更に備え、前記判定手段により閾値以上であると判定された場合に、前記生成手段は、前記提示情報を生成し、前記送信手段は、当該提示情報を前記端末装置へ送信することを特徴とする。
【００１８】
この発明によれば、入力内容と模擬入力内容との間の差が小さい場合、模擬入力内容を出品者に提示しないことで煩雑さを回避することができる。
【００１９】
請求項６に記載の発明は、請求項４または５に記載の情報処理装置において、前記生成手段は、前記模擬入力内容を示すとともに、前記出品者に対して入力の注意を促す情報を示す提示情報を生成し、前記送信手段は、当該提示情報を前記端末装置へ送信することを特徴とする。
【００２０】
この発明によれば、出品者に対して入力の注意を効果的に促すことができる。
【００２１】
請求項７に記載の発明は、請求項１乃至６の何れか一項に記載の情報処理装置において、前記抽出手段は、前記取得手段により取得された複数の前記取引履歴情報から、前記出品目的に最も適合する前記取引履歴情報を前記適合取引履歴情報として抽出することを特徴とする。
【００２２】
この発明によれば、商品の出品目的に応じた、より精度の高い情報を出品者に効果的に提示することができる。
【００２３】
請求項８に記載の発明は、請求項１乃至６の何れか一項に記載の情報処理装置において、前記抽出手段は、前記取得手段により取得された複数の前記取引履歴情報から、前記出品目的に適合する度合が高い所定順位以上の複数の前記取引履歴情報を前記適合取引履歴情報として抽出することを特徴とする。
【００２４】
この発明によれば、商品の出品目的に応じた、より精度の高い情報を出品者に効果的に提示することができる。
【００２５】
請求項９に記載の発明は、請求項８に記載の情報処理装置において、前記情報処理装置は、前記抽出手段により抽出された前記所定順位以上の複数の前記適合取引履歴情報の間において同一の前記設定項目のうち所定割合以上共通する内容が設定された前記設定項目を特定する第３設定項目特定手段を更に備え、前記生成手段は、前記第３設定項目特定手段により特定された前記設定項目に対して設定された内容に基づいて、当該設定項目に対する模擬入力内容を示す提示情報を生成し、前記送信手段は、当該提示情報を前記端末装置へ送信することを特徴とする。
【００２６】
この発明によれば、商品の出品目的に応じた、より精度の高い情報を出品者に効果的に提示することができる。
【００２７】
請求項１０に記載の発明は、請求項１乃至９の何れか一項に記載の情報処理装置において、前記抽出手段は、前記端末装置を使用する前記出品者が業者と個人の何れの属性であるかを判別し、且つ、前記取得手段により取得された前記取引履歴情報に示される前記商品の出品者が業者と個人の何れの属性であるかを前記取引履歴情報毎に判別し、前記端末装置を使用する前記出品者と同じ属性である他の出品者により過去に出品された商品の取引履歴情報であって、且つ前記出品目的に適合する前記取引履歴情報を前記適合取引履歴情報として抽出することを特徴とする。
【００２８】
この発明によれば、出品者の属性に合ったより適切な模擬入力内容を出品者に提示することができる。
【００２９】
請求項１１に記載の発明は、請求項１乃至１０の何れか一項に記載の情報処理装置において、前記抽出手段は、他の商品と比べて目立つ態様で表示されるように設定された商品の取引履歴情報を抽出対象から除外することを特徴とする。
【００３０】
この発明によれば、出品形態に合ったより適切な模擬入力内容を出品者に提示することができる。
【００３１】
請求項１２に記載の発明は、請求項１乃至１０の何れか一項に記載の情報処理装置において、前記抽出手段は、前記取得手段により取得された複数の前記取引履歴情報から、他の商品と比べて目立つ態様で表示されるように設定された商品の取引履歴情報を前記適合取引履歴情報として抽出することを特徴とする。
【００３２】
この発明によれば、出品形態に合ったより適切な模擬入力内容を出品者に提示することができる。
【００３３】
請求項１３に記載の発明は、請求項１乃至１２の何れか一項に記載の情報処理装置において、前記取得手段は、前記商品情報の一部又は全部を含む商品に関する取引履歴情報を取得し、前記抽出手段は、前記取得手段により取得された複数の前記取引履歴情報から、前記出品目的に適合する複数の前記取引履歴情報を前記適合取引履歴情報として抽出し、前記情報処理装置は、前記抽出手段により抽出された複数の前記適合取引履歴情報を比較して、前記出品目的に最も適合する前記適合取引履歴情報を特定する適合取引履歴情報特定手段を更に備え、前記生成手段は、前記適合取引履歴情報特定手段により特定された前記適合取引履歴情報に基づいて、前記設定項目に対する模擬入力内容を示す提示情報を生成し、前記送信手段は、当該提示情報を前記端末装置へ送信することを特徴とする。
【００３４】
この発明によれば、出品形態に合ったより適切な模擬入力内容を出品者に提示することができる。
【００４２】
請求項１４に記載の発明は、電子商取引の対象となる商品の出品にあたり出品者により設定される設定項目の入力フォームの表示用データを、前記出品者の端末装置へ送信するコンピュータにより実行される情報処理方法であって、出品される商品の商品情報と、当該商品の出品にあたり出品者により設定される設定項目の一部に対して当該出品者により入力された入力内容を示す入力情報とを前記端末装置から受信するステップと、過去に出品された商品の取引履歴情報を記憶する記憶手段から、前記受信された前記商品情報に関連する商品の取引履歴情報を取得するステップと、前記受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定するステップと、前記特定された前記出品目的に適合する他の商品の取引履歴情報を、前記取得された前記取引履歴情報から適合取引履歴情報として抽出するステップと、前記抽出された前記適合取引履歴情報に基づいて、前記設定項目に対する模擬入力内容を示す提示情報を生成するステップと、前記生成された前記提示情報を前記端末装置へ送信するステップと、を含むことを特徴とする。請求項１５に記載の発明は、電子商取引の対象となる商品の出品にあたり出品者により設定される設定項目の入力フォームの表示用データを、前記出品者の端末装置へ送信するコンピュータにより実行される情報処理方法であって、出品される商品の商品情報を前記端末装置から受信するステップと、過去に出品された商品の取引履歴情報を記憶する記憶手段から、前記受信された前記商品情報に関連する商品の取引履歴情報を取得するステップと、前記出品者による前記商品の出品目的を特定するステップと、前記特定された前記出品目的に適合する他の商品の取引履歴情報を前記取得された前記取引履歴情報から適合取引履歴情報として抽出し、且つ、前記出品目的に適合しない他の商品の取引履歴情報を前記取引履歴情報から不適合取引履歴情報として抽出するステップと、前記抽出された前記適合取引履歴情報と前記不適合取引履歴情報との間において同一の前記設定項目のうち相違する内容が設定された前記設定項目を特定するステップと、前記特定された前記設定項目に対して設定された内容に基づいて、当該設定項目に対する模擬入力内容を示す提示情報を生成するステップと、前記生成された前記提示情報を前記端末装置へ送信するステップと、を含むことを特徴とする。請求項１６に記載の発明は、電子商取引の対象となる商品の出品にあたり出品者により設定される設定項目の入力フォームの表示用データを、前記出品者の端末装置へ送信するコンピュータにより実行される情報処理方法であって、出品される商品の商品情報と、当該商品の出品にあたり出品者により設定される設定項目の一部に対して当該出品者により入力された入力内容を示す入力情報とを前記端末装置から受信するステップと、過去に出品された商品の取引履歴情報を記憶する記憶手段から、前記受信された前記商品情報に関連する商品の取引履歴情報を取得するステップと、前記受信された前記入力情報に基づいて、前記出品者による前記商品の出品目的を特定するステップと、前記特定された前記出品目的に適合する他の商品の取引履歴情報を前記取得された前記取引履歴情報から適合取引履歴情報として抽出し、且つ、前記出品目的に適合しない他の商品の取引履歴情報を前記取引履歴情報から不適合取引履歴情報として抽出するステップと、前記抽出された前記適合取引履歴情報と前記不適合取引履歴情報との間において同一の前記設定項目のうち相違する内容が設定された前記設定項目を特定する第１設定項目特定ステップと、前記受信された前記入力情報と前記抽出された前記適合取引履歴情報との間において同一の前記設定項目のうち相違する内容が設定された前記設定項目を前記適合取引履歴情報から特定する第２設定項目特定ステップと、前記第１設定項目特定ステップにより特定された前記設定項目であり且つ前記第２設定項目特定ステップにより特定された前記設定項目に対して設定された内容に基づいて、当該設定項目に対する模擬入力内容を示す提示情報を生成するステップと、前記生成された前記提示情報を前記端末装置へ送信するステップと、を含むことを特徴とする。請求項１７に記載の発明は、  電子商取引の対象となる商品の出品にあたり出品者により設定される設定項目の入力フォームの表示用データを、前記出品者の端末装置へ送信するコンピュータを、出品される商品の商品情報と、当該商品の出品にあたり出品者により設定される設定項目の一部に対して当該出品者により入力された入力内容を示す入力情報とを前記端末装置から受信する受信手段と、過去に出品された商品の取引履歴情報を記憶する記憶手段から、前記受信手段により受信された前記商品情報に関連する商品の取引履歴情報を取得する取得手段と、前記受信手段により受信された前記入力情報から、出品される商品の価格と出品期間の少なくとも何れか一方を示す値を取得し、前記取得された商品の価格を示す値と第１閾値の大小関係と、前記取得された出品期間を示す値と第２閾値の大小関係との少なくとも何れか一方に基づいて、前記出品者による前記商品の出品目的を特定する出品目的特定手段と、前記出品目的特定手段により特定された前記出品目的に適合する他の商品の取引履歴情報を、前記取得手段により取得された前記取引履歴情報から適合取引履歴情報として抽出する抽出手段と、前記抽出手段により抽出された前記適合取引履歴情報に基づいて、前記設定項目に対する模擬入力内容を示す提示情報を生成する生成手段と、前記生成手段により生成された前記提示情報を前記端末装置へ送信する送信手段として機能させる情報処理プログラムである。請求項１８に記載の発明は、電子商取引の対象となる商品の出品にあたり出品者により設定される設定項目の入力フォームの表示用データを、前記出品者の端末装置へ送信するコンピュータを、出品される商品の商品情報を前記端末装置から受信する受信手段と、過去に出品された商品の取引履歴情報を記憶する記憶手段から、前記受信手段により受信された前記商品情報に関連する商品の取引履歴情報を取得する取得手段と、前記出品者による前記商品の出品目的を特定する出品目的特定手段と���前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、前記抽出手段により抽出された前記適合取引履歴情報と前記不適合取引履歴情報との間において同一の前記設定項目のうち相違する内容が設定された前記設定項目を特定する第１設定項目特定手段と、前記第１設定項目特定手段により特定された前記設定項目に対して設定された内容に基づいて、当該設定項目に対する模擬入力内容を示す提示情報を生成する生成手段と、前記生成手段により生成された前記提示情報を前記端末装置へ送信する送信手段として機能させる情報処理プログラムである。請求項１９に記載の発明は、電子商取引の対象となる商品の出品にあたり出品者により設定される設定項目の入力フォームの表示用データを、前記出品者の端末装置へ送信するコンピュータを、出品される商品の商品情報と、当該商品の出品にあたり出品者により設定される設定項目の一部に対して当該出品者により入力された入力内容を示す入力情報とを前記端末装置から受信する受信手段と、過去に出品された商品の取引履歴情報を記憶する記憶手段から、前記受信手段により受信された前記商品情報に関連する商品の取引履歴情報を取得する取得手段と、前記受信手段により受信された前記入力情報に基づいて、前記出品者による前記商品の出品目的を特定する出品目的特定手段と、前記出品目的特定手段により特定された前記出品目的に適合する他の商品の取引履歴情報を前記取得手段により取得された前記取引履歴情報から適合取引履歴情報として抽出し、且つ、前記出品目的に適合しない他の商品の取引履歴情報を前記取引履歴情報から不適合取引履歴情報として抽出する抽出手段と、前記抽出手段により抽出された前記適合取引履歴情報と前記不適合取引履歴情報との間において同一の前記設定項目のうち相違する内容が設定された前記設定項目を特定する第１設定項目特定手段と、前記受信手段により受信された前記入力情報と前記抽出手段により抽出された前記適合取引履歴情報との間において同一の前記設定項目のうち相違する内容が設定された前記設定項目を前記適合取引履歴情報から特定する第２設定項目特定手段と、前記第１設定項目特定手段により特定された前記設定項目であり且つ前記第２設定項目特定手段により特定された前記設定項目に対して設定された内容に基づいて、当該設定項目に対する模擬入力内容を示す提示情報を生成する生成手段と、前記生成手段により生成された前記提示情報を前記端末装置へ送信する送信手段として機能させる情報処理プログラムである。
【発明の効果】
【００４３】
本発明によれば、出品者が商品を出品する際に、当該出品者による商品の出品目的に適合する他の商品の取引履歴情報に基づいて、当該出品にあたり設定される設定項目に対する模擬入力内容を示す提示情報が生成され、当該提示情報が出品者の端末装置に送信されるので、商品の出品目的に応じた適切な出品条件等を設定できる情報を出品者に効果的に提示することができる。
【図面の簡単な説明】
【００４４】
【図１】本実施形態に係るオークション処理システムＳの概要構成の一例を示す図である。
【図２】本実施形態に係るオークション処理サーバＳＡの概要構成の一例を示すブロック図である。
【図３】各種データベースに登録される内容の一例を示す図である。
【図４】実施例１において、オークション処理サーバＳＡのシステム制御部４における出品処理の一部を示すフローチャートである。
【図５】入力フォームページの表示例を示す図である。
【図６】実施例１において、模擬入力内容が表示された入力フォームページの表示例を示す図である。
【図７】実施例２において、オークション処理サーバＳＡのシステム制御部４における出品処理の一部を示すフローチャートである。
【図８】実施例２において、模擬入力内容及び非模擬入力内容が比較可能に表示された入力フォームページの表示例を示す図である。
【図９】実施例３において、オークション処理サーバＳＡのシステム制御部４における出品処理の一部を示すフローチャートである。
【図１０】実施例３において、模擬入力内容と注意メッセージが表示された入力フォームページの表示例を示す図である。
【発明を実施するための形態】
【００４５】
以下、図面を参照して本発明の実施形態について説明する。なお、以下に説明する実施の形態は、オークション処理システムに対して本発明を適用した場合の実施形態である。
【００４６】
［１．オークション処理システムの構成及び機能概要］
先ず、本発明の一実施形態に係るオークション処理システムＳの構成及び概要機能について、図１を用いて説明する。
【００４７】
図１は、本実施形態に係るオークション処理システムＳの概要構成の一例を示す図である。
【００４８】
図１に示すように、オークション処理システムＳは、複数のユーザ端末（端末装置の一例）Ｔｎ（ｎ＝１，２，３・・・ｋ）と、オークション処理サーバ（情報処理装置の一例）ＳＡと、を含んで構成されている。ユーザ端末Ｔｎ及びオークション処理サーバＳＡは、夫々、ネットワークＮＷに接続される。ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００４９】
また、ユーザ端末Ｔｎは、例えば、パーソナルコンピュータ（ＰＣ）、ＰＤＡ（Personal Digital Assistant）、携帯電話機、又はスマートホン等からなり、Ｗｅｂブラウザ機能を有する。ユーザ端末Ｔｎは、Ｗｅｂブラウザにより、オークション処理サーバＳＡにアクセスしてＷｅｂページを取得し、該Ｗｅｂページをディスプレイ上に表示するようになっている。
【００５０】
オークション処理サーバＳＡは、オークションサイトを運営するために設置されたサーバ（例えば、Ｗｅｂサーバ、及びデータベースサーバ等）である。
【００５１】
図２は、本実施形態に係るオークション処理サーバＳＡの概要構成の一例を示すブロック図である。
【００５２】
図２に示すように、オークション処理サーバＳＡは、通信部１と、記憶部２（記憶手段の一例）と、入出力インターフェース部３と、システム制御部４と、を備えている。そして、システム制御部４と入出力インターフェース部３とは、システムバス５を介して接続されている。
【００５３】
通信部１は、ネットワークＮＷに接続して、ユーザ端末Ｔｎとの通信状態を制御するようになっている。
【００５４】
記憶部２は、例えば、ハードディスクドライブ等により構成されており、オペレーティングシステム及びオークション処理プログラム（本発明の情報処理プログラムを含む）等の各種プログラムを記憶する。なお、オークション処理プログラムは、例えば、所定のサーバ等からネットワークＮＷを介して取得（ダウンロード）されるようにしても良いし、ＣＤ（Compact Disc）、ＤＶＤ（Digital Versatile Disc）等の記録媒体に記録されて読み込まれるようにしても良い。
【００５５】
また、記憶部２には、ユーザ端末Ｔｎに表示させるＷｅｂページを構成する構造化文書（例えば、ＨＴＭＬ（Hyper Text Markup Language）文書やＸＨＴＭＬ文書等）ファイル（表示用データの一例）、及び画像ファイル等が記憶されている。Ｗｅｂページには、オークションへの出品にあたり出品者により設定される出品条件等の各種設定項目の入力フォームの画面を表示するためのページ（以下、「入力フォームページ」という）、及び出品された商品を閲覧するための画面を表示するページ等がある。なお、入力フォームページは、１ページで構成されても良いし、複数ページで構成されてもよい。
【００５６】
更に、記憶部２には、ユーザ情報データベース（ＤＢ）２１、オークションデータベース（ＤＢ）２２、及び落札相場データベース（ＤＢ）２３等が構築されている。
【００５７】
図３は、各種データベースに登録される内容（項目）の一例を示す図である。
【００５８】
図３（Ａ）に示すユーザ情報データベース２１には、オークションの会員登録されたユーザ（オークションへの出品者、入札者、落札者等になり得るユーザ）のユーザＩＤ、ログインＩＤ、パスワード、ニックネーム、氏名、性別、年齢、興味、住所、電話番号、及びメールアドレス等のユーザ情報がユーザ毎に対応付けられて登録（記憶）されている。なお、ユーザＩＤは、会員としてのユーザを識別する識別情報である。ログインＩＤ及びパスワードは、オークションへ参加（出品又は入札）するためのログイン処理（ユーザの認証処理）に使用される認証情報である。
【００５９】
図３（Ｂ）に示すオークションデータベース２２には、オークションＩＤ、出品情報、入札情報、及び落札情報がオークション毎に対応付けられて登録される。ただし、未だ、入札されていない商品の入札情報、及び落札されていない商品の落札情報は登録されない。オークションＩＤは、ある商品についてのオークションを識別する識別情報である。
【００６０】
出品情報には、出品者のユーザＩＤと、出品条件等の各種設定項目に対して設定された内容が含まれる。この設定項目としては、例えば、商品名（商品の名称：商品情報の一例）、商品のジャンル（カテゴリともいう）、商品の品番（商品情報の一例）、商品の状態、商品の説明文、商品の形態、開始価格（出品開始時の価格）、即落価格、在庫確認、最低落札価格、出品個数、開始時間（出品開始日時）、終了時間（出品終了日時）、早期終了、商品画像、返品の可否、入札者評価制限、自動再出品回数、終了時間の自動延長、発送地域、配送方法、決済方法（支払方法）、エスクロー／保証、注目のオークション設定、出品広告設定等が挙げられる。
【００６１】
ここで、商品の品番とは、例えば、商品に付与されたバーコードの下に記載された番号である。この品番により商品を特定することができる。なお、商品を特定できる情報であればどのような情報であっても良く、例えばＪＡＮコード等の商品コードであってもよい。商品の形態とは、例えば、出品された商品が、美品、限定品、非売品、付属品、或いは、全巻（書籍の場合）あるかなどを示す。商品の状態とは、出品された商品が、新品又は中古を示す。即落価格は、入札することで入札先着順に落札することができる価格を示す。在庫確認は、落札後に在庫がない場合はキャンセル可能であることを示し、その設定内容は有又は無となる。早期終了は、出品された商品のオークションが終了時間より早く終了することを示し、その設定内容は有又は無となる。入札者評価制限は、評価が所定値以下のユーザの入札を制限することを示し、その設定内容は有又は無となる。注目のオークション設定は、出品された商品が他の商品と比べて目立つ態様で表示させる設定の一例であり、その設定内容は有又は無となる。例えば、注目のオークション設定された商品は、出品商品一覧ページ上部の「注目のオークション」欄に、出品している商品の商品情報が表示される（注目のオークション設定されていない商品とは異なる位置に表示される）。なお、出品された商品が他の商品と比べて目立つ態様で表示させる設定としては、注目のオークション設定の他にも、例えば、出品している商品の商品情報の強調表示する設定もある。商品情報の強調表示の例としては、文字のサイズを大きくすること、文字や背景を鮮やかな色にすること、或いは、所定の画像やマークを表示させたりすること等が挙げられる。また、出品広告設定は、例えば出品商品一覧ページ以外のＷｅｂページ上に、出品された商品の商品情報を掲載する設定を示し、その設定内容は有又は無となる。この出品広告設定も、出品された商品が他の商品と比べて目立つ態様で表示させる設定の一例である。
【００６２】
そして、設定項目に設定される内容は、ユーザ端末Ｔｎのディスプレイ上に表示された入力フォームの画面から出品者により入力される。ここで、「入力」には、出品者がユーザ端末Ｔｎの操作部（キーボード、マウス、及びタッチパネル等）を用いて文字入力すること、及び１つの設定項目に対して複数用意された入力候補（例えば、入力候補を表示するリスト）中から出品者が操作部を用いて所望の入力候補を選択（指定）すること等が該当する。なお、上記「文字入力」は、出品者が発話した音声がユーザ端末Ｔｎの音声認識機能により認識され文字変換されることによりなされてもよい。また、上記「入力候補の選択」には、初期入力表示された候補を選択操作することなくそのまま採用することも含まれる。このように入力された入力内容が出品情報としてオークションデータベース２２に登録されることで各設定項目に対する設定（セット）が完了する。なお、設定項目のうち、例えば、商品名（又は商品のコード）、開始価格、終了時間、出品個数、配送方法、及び決済方法以外の設定項目は設定されない場合もある。
【００６３】
入札情報には、例えば、入札者のユーザＩＤ、入札価格、商品の入札個数、及び入札日時等が含まれる。落札情報には、例えば、落札者のユーザＩＤ、落札価格、商品の落札個数、落札時の相場価格及び落札日時等が含まれる。
【００６４】
以上のように、オークションデータベース２２に登録された出品情報、入札情報及び落札情報は、過去に出品された商品の取引履歴情報を構成する。なお、オークションデータベース２２は、オークション処理サーバＳＡがアクセス可能な所定のサーバの記憶手段に設けられてもよい。また、オークションデータベース２２から抽出された取引履歴情報を登録するデータベースをオークションデータベース２２とは別に設けるように構成しても構わない。
【００６５】
落札相場データベース２３には、商品の商品名、商品のジャンル、商品の品番、及び落札相場が商品毎に対応付けられて登録される。落札相場は、当該商品を出品したときに幾らで売れるかの目安を示す相場価格である。このような落札相場は、ユーザ端末Ｔｎからの要求に応じて提供される。なお、落札相場の算出方法については公知であるため詳しい説明を省略する。
【００６６】
入出力インターフェース部３は、通信部１及び記憶部２とシステム制御部４との間のインターフェース処理を行うようになっている。
【００６７】
システム制御部４は、ＣＰＵ（Central Processing Unit）４ａ、ＲＯＭ（Read Only Memory）４ｂ、ＲＡＭ（Random Access Memory）４ｃ等により構成されている。そして、コンピュータとしてのシステム制御部４は、記憶部２に記憶されたオークション処理プログラムにしたがって、オークションへの出品処理、入札処理、及び落札処理を実行する。特に、本実施形態では、オークションへの出品処理において、システム制御部４は、本発明の情報処理プログラムにしたがい、本発明における受信手段、取得手段、出品目的特定手段、抽出手段、第１設定項目特定手段、第２設定項目特定手段、第３設定項目特定手段、適合取引履歴情報特定手段、判定手段、生成手段、送信手段等として機能する（つまり、本発明の情報処理プログラムが、システム制御部４に上記手段を実行させる）。これにより、出品者による商品の出品目的に適合する他の商品の取引履歴情報（過去に出品された商品の取引履歴情報）に基づいて、当該出品者が出品目的に応じた適切な出品条件等を設定できるように、上記設定項目に対する模擬入力内容が当該出品者に提示されるようになっている。
【００６８】
［２．オークションへの出品処理］
次に、本実施形態に係るオークションへの出品処理について、実施例１〜実施例７に分けて説明する。
【００６９】
（実施例１）
先ず、図４等を用いて、実施例１に係るオークションへの出品処理について説明する。この実施例１は、出品目的に適合する商品の取引履歴情報を用いて提示情報を生成する実施例である。図４は、実施例１において、オークション処理サーバＳＡのシステム制御部４における出品処理の一部を示すフローチャートである。
【００７０】
オークション処理サーバＳＡのシステム制御部４は、ネットワークＮＷを介してアクセスしてきたユーザ端末Ｔ１のユーザのログイン処理後、ユーザ端末Ｔ１からの入力フォームページの要求に応じて、図４に示す処理を開始し、入力フォームページの構造化文書ファイルをネットワークＮＷを介してユーザ端末Ｔ１に送信する（ステップＳ１）。こうして、ユーザ端末Ｔ１は、入力フォームページをＷｅｂブラウザによりディスプレイ上に表示する。
【００７１】
図５は、入力フォームページの表示例を示す図である。図５に示す入力フォームページ５１には、出品目的入力部５１ａと、設定項目入力部５１ｂが設けられている。出品目的入力部５１ａには、予め用意された出品目的の候補が選択可能にプルダウン表示されるようになっている。出品者は出品目的の候補の中から所望の出品目的を選択（指定）することで入力することができる。図５に示す例では、出品目的の候補として、「落札価格最大化」、「早期入札」、及び「売り切り」が表示されている。「落札価格最大化」は、できるだけ高値で売りたいという目的である。「早期入札」は、できるだけ早期に入札になって欲しいという目的である。「売り切り」は、確実に売りたいという目的である。なお、出品目的は、これ以外にも、例えば、「高校生向けに売りたい」、「高齢者向けに売りたい」、「女性の高校生向けに売りたい」、「男性の高齢者向けに売りたい」などの目的もある。
【００７２】
一方、設定項目入力部５１ｂにおいて、出品者は、商品のジャンル、商品名、商品の状態、商品の説明文、開始価格、即落価格、出品個数、開始時間、終了時間、在庫確認、自動再出品回数、自動延長、及び配送方法等の各設定項目に対する入力（各設定項目に対応する入力欄（又は選択欄）に入力）を行うことができる。なお、商品のジャンルは、入力フォームページ５１の直前に表示されたページ上で入力されたものである。そして、出品者が出品目的入力部５１ａで出品目的を入力した後、操作部を介して商品名を入力すると、ユーザ端末Ｔ１は、入力された出品目的を示す出品目的情報と、入力されたジャンル及び商品名を示す商品情報をネットワークＮＷを介してオークション処理サーバＳＡへ送信する。ここで、出品目的情報及び商品情報の送信は、入力フォームページ５１に設けられた送信ボタン（図示せず）が出品者により指定されたときに行われるように構成してもよい。なお、商品の品番がわかる場合には、商品名の代わりに、品番又は商品コードが入力されてもよい。
【００７３】
こうして、オークション処理サーバＳＡのシステム制御部４は、ユーザ端末Ｔ１から出品目的情報及び商品情報を受信すると（ステップＳ２）、受信された商品情報に関連する商品の取引履歴情報をオークションデータベース２２から取得する（ステップＳ３）。ここで、「商品情報に関連する商品」としては、例えば、商品情報に含まれる商品名（又は商品名及びジャンル）の全部又は一部が一致する商品が該当する。なお、商品名の一部が一致する」には、例えば、商品名全体の９０％以上が一致することが該当する。
【００７４】
次いで、システム制御部４は、上記ステップＳ２で受信された出品目的情報に基づいて、出品目的を特定する（ステップＳ４）。つまり、この場合、ユーザ端末Ｔ１において、出品者により明示的に指定された出品目的が特定される。
【００７５】
次いで、システム制御部４は、上記ステップＳ４で特定された出品目的に適合する商品の取引履歴情報の抽出処理を行う（ステップＳ５）。この抽出処理により、例えば、出品目的に最も適合する取引履歴情報、または出品目的に適合する度合が高い所定順位以上の複数の取引履歴情報（例えば、当該適合する度合が高い順にソートされた複数の取引履歴情報うち、１位（最も高い）から５位までの取引履歴情報）が、上記ステップＳ３で取得された取引履歴情報から適合取引履歴情報として抽出される。ここで、各出品目的に応じた抽出処理を以下に説明する。
【００７６】
（i）出品目的が「落札価格最大化」である場合
この場合、出品目的に最も適合する適合取引履歴情報として、例えば、取引履歴情報に含まれる落札価格が最も高い商品の取引履歴情報が抽出される。或いは、出品目的に適合する度合が高い所定順位以上の適合取引履歴情報として、取引履歴情報に含まれる落札価格が高い所定順位（例えば、５位）以上の商品の取引履歴情報が抽出される。
【００７７】
（ii）出品目的が「早期入札」である場合
この場合、出品目的に最も適合する適合取引履歴情報として、例えば、取引履歴情報に含まれる出品開始日時から最初の入札日時までの時間が最も短い商品の取引履歴情報が抽出される。或いは、出品目的に適合する度合が高い所定順位以上の適合取引履歴情報として、取引履歴情報に含まれる出品開始日時から最初の入札日時までの時間が短い所定順位（例えば、５位）以上の商品の取引履歴情報が抽出される。
【００７８】
（iii）出品目的が「売り切り」である場合
この場合、出品目的に最も適合する適合取引履歴情報として、例えば、取引履歴情報に含まれる開始価格が相場価格より低い商品の中で、開始価格が最も低い商品の取引履歴情報が抽出される。或いは、出品目的に適合する度合が高い所定順位以上の適合取引履歴情報として、取引履歴情報に含まれる開始価格が相場価格より低い商品の中で、開始価格が低い所定順位（例えば、５位）以上の商品の取引履歴情報が抽出される。ここで、相場価格は、落札相場データベース２３から取得される。
【００７９】
なお、出品目的が「女性の高校生向けに売りたい」である場合、出品目的に適合する適合取引履歴情報として、例えば、年齢が１５才〜１８才の年齢層に含まれる女性の落札者により落札された商品の取引履歴情報が抽出（例えば、所定数抽出）される。また、出品目的が「男性の高齢者向けに売りたい」である場合、出品目的に適合する適合取引履歴情報として、例えば、年齢が６０才以上の男性の落札者により落札された商品の取引履歴情報が抽出（例えば、所定数抽出）される。
【００８０】
次いで、システム制御部４は、上記ステップＳ５で抽出された適合取引履歴情報に基づいて、所定の設定項目に対する模擬入力内容を示す提示情報の生成処理を行う（ステップＳ６）。この生成処理において、システム制御部４は、先ず、上記適合取引履歴情報における所定の設定項目として、例えば、開始価格、即落価格、開始時間、終了時間、配送方法、及び商品画像等に対して設定された内容を模擬入力内容として抽出する。ここで、設定項目に対して設定された内容と模擬入力内容とが必ずしも一致する必要はなく、模擬入力内容に、上記設定された内容の全部又は一部が含まれればよい（以下同様）。また、設定項目が商品画像の場合、画像データ自体ではなく、商品画像の設定有又は無が模擬入力内容として抽出される。また、設定項目が開始時間又は終了時間の場合、例えば時間（年月日は過去のものであるので除く）が抽出される（曜日も抽出されてもよい）。また、どの設定項目に対して設定された内容を模擬入力内容として抽出するかは、例えば、設定項目が出品目的に与える影響度（影響の大きさ）が考慮されて予め定められる。このように定められる設定項目は、出品目的間（例えば、「落札価格最大化」と「早期入札」）で異なるように構成してもよい。これは、設定項目が出品目的に与える影響度が出品目的毎に異なる場合があるからである。
【００８１】
ところで、上記ステップＳ５で出品目的に最も適合する適合取引履歴情報を抽出する構成の場合、システム制御部４は、上記適合取引履歴情報における所定の設定項目に対して設定された内容を模擬入力内容として抽出する。
【００８２】
一方、上記ステップＳ５で出品目的に適合する度合が高い所定順位以上の複数の適合取引履歴情報を抽出する構成の場合、システム制御部４は、複数の適合取引履歴情報の間において同一の設定項目（例えば、開始価格）のうち所定割合以上共通する内容が設定された設定項目を特定し、当該特定した設定項目に対して設定された内容を模擬入力内容として抽出する。ここで、「所定割合以上共通する内容が設定された設定項目」とは、例えば、５つの適合取引履歴情報がある場合に、５つのうち所定割合（例えば、３／５）以上（言い換えれば、３つ以上）内容が共通する設定項目を意味する。共通する内容が複数に分けられる場合、数が多い方（多数派）の内容を模擬入力内容として抽出すればよい。例えば、抽出された５つの適合取引履歴情報のうち、３つの適合取引履歴情報中に示される開始価格に対して「１円」が設定されており、他の２つの適合取引履歴情報中に示される開始価格に対して「１００円」が設定されている場合、３つの適合取引履歴情報中に示される開始価格に対して設定された内容である「１円」が模擬入力内容として抽出される。
【００８３】
一方、共通する内容が複数に分けられる場合において、数が同じ場合（例えば、２つの適合取引履歴情報中に示される開始価格に対して「１円」が設定されており、他の２つの適合取引履歴情報中に示される開始価格に対して「１００円」が設定されている場合）、例えばランダムで選択された何れか一方の内容（或いは、双方の内容でも構わない）を模擬入力内容として抽出すればよい。
【００８４】
一方、共通する内容が無い場合（例えば、５つの適合取引履歴情報中に示される各開始価格に対して設定された内容が互いに異なる場合）、例えばランダムで選択された何れか一つの内容（或いは、複数の内容でも構わない）を模擬入力内容として抽出すればよい。或いは、共通する内容が無い場合、いずれの内容も模擬入力内容として抽出されないように構成してもよい。この場合、対象の設定項目に対する模擬入力内容は表示されないことになる。
【００８５】
なお、上記特定された設定項目が複数ある場合、特定された設定項目毎に上記内容の抽出が行われる。
【００８６】
なお、上記ステップＳ５で出品目的として例えば「高校生向けに売りたい」又は「高齢者向けに売りたい」等に適合する適合取引履歴情報が例えば５つ抽出された場合についても、上述した、出品目的に適合する度合が高い所定順位以上の複数の適合取引履歴情報を抽出する構成と同様の方法で模擬入力内容が抽出される。また、例えば、「女性の高校生向けに売りたい」という出品目的であった場合、これに適合する適合取引履歴情報における設定項目「商品の説明文」に対して設定された内容（例えば、字体や絵文字等が特有の文字列）が模擬入力内容として抽出される場合もある。
【００８７】
以上のようにして所定の設定項目に対する模擬入力内容が抽出されると、上記生成処理において、システム制御部４は、次に、所定の設定項目毎に抽出した模擬入力内容を示す提示情報を生成する。この提示情報は、例えば、入力フォームページ５１における設定項目入力部５１ｂに設けられた上記設定項目に対応する入力欄内又は入力欄の近傍に上記模擬入力内容を表示させるデータである。
【００８８】
そして、システム制御部４は、上記ステップＳ６で生成された提示情報をネットワークＮＷを介してユーザ端末Ｔ１へ送信する（ステップＳ７）。
【００８９】
こうして、ユーザ端末Ｔ１は、提示情報を受信すると、これを入力フォームページ５１の構造化文書内に組み込み、当該提示情報に示される設定項目に対応する入力欄（又は選択欄）内又は入力欄（又は選択欄）の近傍に上記模擬入力内容を表示する。図６は、実施例１において、模擬入力内容が表示された入力フォームページの表示例を示す図である。図６に示す例では、出品目的が「落札価格最大化」であり、開始価格、即落価格、開始時間、終了時間、在庫確認、自動延長、及び配送方法に対応する入力欄に模擬入力内容が表示されている。この場合、開始価格に対する模擬入力内容として「１円」が提示されており、即落価格として「10,000円」が提示されている。なお、即落価格は、落札時の相場価格と現在の相場価格との比率が乗算されることにより、現在の相場価格に応じた価格が模擬入力内容として提示されるように構成してもよい。また、開始時間に対する模擬入力内容として「2011年4月2日9時」、すなわち、土曜日の9時（午前中）が提示されており、終了時間の模擬入力内容として「2011年4月3日22時」、すなわち、日曜日の22時が提示されている。また、在庫確認に対する模擬入力内容として「なし」が提示されており、自動延長に対する模擬入力内容として「あり」が提示されている。また、配送方法に対する模擬入力内容として、「匿名配送」と「通常配送」に加えて「送料無料」が提示されている。なお、図示しないが、提示情報に示される設定項目に対応する選択欄がラジオボタンである場合、模擬入力内容の表示はラジオボタンの選択表示（例えば、丸い穴内に黒丸表示）となる。また、模擬入力内容は、例えば、これに対応する入力欄又は入力欄の近傍の位置が例えばマウスオーバーされることで表示されるように構成してもよい。
【００９０】
そして、出品者は、図６に示すように入力欄（又は選択欄）内に表示された模擬入力内容を確認し、必要に応じて模擬入力内容を変更する。なお、模擬入力内容が入力欄の近傍に表示される場合、出品者は、操作部を介して当該模擬入力内容をコピーして入力欄内に貼り付け操作を行ってもよい。その後、出品者は、次のステップに進んで、最終的に出品を確定する操作を行うことで、上記各入力欄の入力された入力内容が各設定項目に対して設定される（つまり、出品情報としてオークションデータベース２２に登録される）。
【００９１】
以上説明したように、上記実施例１によれば、出品者が商品を出品する際に、当該出品者による商品の出品目的に適合する他の商品の取引履歴情報に基づいて、当該出品にあたり設定される設定項目に対する模擬入力内容を示す提示情報が生成され、当該提示情報が出品者のユーザ端末Ｔ１に送信されるので、商品の出品目的に応じた適切な出品条件等を設定できる情報（模範となる情報）を出品者に効果的に提示することができる。
【００９２】
なお、上記適合取引履歴情報における所定の設定項目が商品の説明文とした場合において、これに対して設定された内容中に商品（複数の色のバリエーションがある商品）が記載されていれば、当該商品の色を示す模擬入力内容を出品者に提示することができる。これにより、例えば、出品する商品の色が、模擬入力内容で示された商品の色とは異なる場合において、当該模擬入力内容で示された色の商品を所有しているとき、この色の商品を出品することに変更することもできる。
【００９３】
（実施例２）
次に、図７等を用いて、実施例２に係るオークションへの出品処理について説明する。この実施例２は、出品目的に適合する商品の取引履歴情報に加え、出品目的に適合しない商品の取引履歴情報を用いて提示情報を生成する実施例である。図７は、実施例２において、オークション処理サーバＳＡのシステム制御部４における出品処理の一部を示すフローチャートである。なお、ステップＳ１１〜ステップＳ１５の処理は、図４に示すステップＳ１〜ステップＳ５の処理と同様であるので重複する説明を省略する。
【００９４】
図７に示すステップＳ１６では、オークション処理サーバＳＡのシステム制御部４は、上記ステップＳ１４で特定された出品目的に適合しない商品の取引履歴情報の抽出処理を行う。この抽出処理により、例えば、出品目的に最も適合しない取引履歴情報、または出品目的に適合する度合が低い所定順位以上の複数の取引履歴情報（例えば、当該適合する度合が低い順にソートされた複数の取引履歴情報うち、１位（最も低い）から５位までの取引履歴情報）が、上記ステップＳ１３で取得された取引履歴情報から不適合取引履歴情報としてさらに抽出される。
【００９５】
例えば、出品目的が「落札価格最大化」である場合、出品目的に最も適合しない不（非）適合取引履歴情報として、例えば、取引履歴情報に含まれる落札価格が最も低い商品の取引履歴情報が抽出される。或いは、出品目的に適合する度合が低い所定順位以上の不適合取引履歴情報として、取引履歴情報に含まれる落札価格が低い所定順位（例えば、５位）以上の商品の取引履歴情報が抽出される。この不適合取引履歴情報は、出品者が想定していたよりも安く売れてしまった場合の取引履歴情報ということができる。
【００９６】
一方、出品目的が「早期入札」である場合、出品目的に最も適合しない不適合取引履歴情報として、例えば、取引履歴情報に含まれる出品開始日時から最初の入札日時までの時間が最も長い商品の取引履歴情報が抽出される。或いは、出品目的に適合する度合が低い所定順位以上の不適合取引履歴情報として、取引履歴情報に含まれる出品開始日時から最初の入札日時までの時間が長い所定順位（例えば、５位）以上の商品の取引履歴情報が抽出される。
【００９７】
一方、出品目的が「売り切り」である場合、出品目的に最も適合しない不適合取引履歴情報として、例えば、取引履歴情報に含まれる開始価格が相場価格より高い商品の中で、開始価格が最も高い商品の取引履歴情報が抽出される。或いは、出品目的に適合する度合が低い所定順位以上の不適合取引履歴情報として、取引履歴情報に含まれる開始価格が相場価格より高い商品の中で、開始価格が高い所定順位（例えば、５位）以上の商品の取引履歴情報が抽出される。
【００９８】
次いで、システム制御部４は、上記ステップＳ１５で抽出された適合取引履歴情報と、上記ステップＳ１６で抽出された不適合取引履歴情報とに基づいて、所定の設定項目に対する模擬入力内容を示す提示情報の生成処理を行う（ステップＳ１７）。例えば、この生成処理において、システム制御部４は、先ず、上記適合取引履歴情報における所定の設定項目として、例えば、開始価格、即落価格、開始時間、終了時間、配送方法、及び商品画像等に対して設定された内容を模擬入力内容として抽出する。次に、システム制御部４は、上記不適合取引履歴情報における所定の設定項目として、例えば、開始価格、即落価格、開始時間、終了時間、配送方法、及び商品画像等に対して設定された内容を非模擬入力内容として抽出する。ここで、設定項目に対して設定された内容と非模擬入力内容とが必ずしも一致する必要はなく、非模擬入力内容に、上記設定された内容の全部又は一部が含まれればよい（以下同様）。
【００９９】
ところで、上記ステップＳ１６で出品目的に最も適合しない不適合取引履歴情報を抽出する構成の場合、システム制御部４は、上記不適合取引履歴情報における所定の設定項目に対して設定された内容を非模擬入力内容として抽出する。なお、上記ステップＳ１５で出品目的に最も適合する適合取引履歴情報を抽出する構成の場合、実施例１と同様の方法で模擬入力内容が抽出される。
【０１００】
一方、上記ステップＳ１６で出品目的に適合する度合が低い所定順位以上の複数の不適合取引履歴情報を抽出する構成の場合、システム制御部４は、複数の不適合取引履歴情報の間において同一の設定項目のうち所定割合以上共通する内容が設定された設定項目を特定し、当該特定した設定項目に対して設定された内容を非模擬入力内容として抽出する。ここで、共通する内容が複数に分けられる場合、数が多い方の内容を非模擬入力内容として抽出すればよい。一方、共通する内容が複数に分けられる場合において、数が同じ場合、例えばランダムで選択された何れか一方の内容（或いは、双方の内容でも構わない）を非模擬入力内容として抽出すればよい。また、共通する内容が無い場合、例えばランダムで選択された何れか一つの内容（或いは、複数の内容でも構わない）を非模擬入力内容として抽出すればよい。また、上記特定された設定項目が複数ある場合、特定された設定項目毎に上記内容の抽出が行われる。なお、上記ステップＳ１５で出品目的に適合する度合が高い所定順位以上の複数の適合取引履歴情報を抽出する構成の場合、実施例１と同様の方法で模擬入力内容が抽出される。
【０１０１】
以上のようにして所定の設定項目に対する模擬入力内容及び非模擬入力内容が抽出されると、上記生成処理において、システム制御部４は、次に、上記適合取引履歴情報と上記不適合取引履歴情報との間において同一の設定項目のうち相違する内容が設定された設定項目（つまり、模擬入力内容と非模擬入力内容とで相違する設定項目）を特定し、特定した設定項目に対して設定された内容に基づいて、当該設定項目に対する模擬入力内容を示す提示情報を生成する。ここで、適合取引履歴情報と不適合取引履歴情報との間で相違する内容（例えば、模擬入力内容が「１円」で、非模擬入力内容が「１０００円」）が設定されている設定項目（例えば、開始価格）は、出品目的に影響する設定項目と言えるため、このような設定項目に対して設定された内容に基づいて、当該設定項目に対する模擬入力内容を示す提示情報が生成される。
【０１０２】
例えば、システム制御部４は、上記特定した設定項目に対する模擬入力内容と、上記特定した設定項目に対する非模擬入力内容と、を比較可能に示す提示情報を生成する。この提示情報は、例えば、入力フォームページ５１における設定項目入力部５１ｂに設けられた上記設定項目に対応する入力欄内又は入力欄の近傍に上記模擬入力内容と上記非模擬入力内容とが比較可能に例えば並べて表示させるデータである。或いは、システム制御部４は、上記特定した設定項目に対する模擬入力内容を強調して示す提示情報を生成するように構成（この場合、非模擬入力内容は非表示）してもよい。この提示情報は、例えば、入力フォームページ５１における設定項目入力部５１ｂに設けられた上記設定項目に対応する入力欄内又は入力欄の近傍に上記模擬入力内容を強調表示（例えば、当該模擬入力内容を示す文字のサイズや色等を他の文字より強調する表示や、模擬入力内容を示す文字の背景の色や模様等を他の文字より強調する表示）させるデータである。或いは、システム制御部４は、上記特定した設定項目に対する模擬入力内容と、上記特定した設定項目に対する非模擬入力内容と、を比較可能に示すとともに、当該模擬入力内容を強調して示す提示情報を生成するように構成してもよい。
【０１０３】
なお、適合取引履歴情報と不適合取引履歴情報との間で同じ内容（例えば、模擬入力内容と非模擬入力内容がともに「１０時」）が設定されている設定項目（例えば、開始時間）に対する模擬入力内容が上記提示情報に含まれるように構成してもよい。
【０１０４】
そして、システム制御部４は、上記ステップＳ１７で生成された提示情報をネットワークＮＷを介してユーザ端末Ｔ１へ送信する（ステップＳ１８）。
【０１０５】
こうして、ユーザ端末Ｔ１は、提示情報を受信すると、これを入力フォームページ５１の構造化文書内に組み込み、当該提示情報に示される設定項目に対応する入力欄（又は選択欄）内又は入力欄（又は選択欄）の近傍に上記模擬入力内容を表示する。図８は、実施例２において、模擬入力内容及び非模擬入力内容が比較可能に表示された入力フォームページの表示例を示す図である。図８に示す例では、開始価格、終了時間、自動延長及び配送方法に対応する入力欄に模擬入力内容が良い例として強調表示されるとともに、当該模擬入力内容の近傍に悪い例として非模擬入力内容が表示されている。この場合、開始価格に対する非模擬入力内容として「10,000円」が、終了時間に対する非模擬入力内容として「2011年4月4日9時」、すなわち、平日の9時（午前中）が、自動延長に対する非模擬入力内容として「なし」が、配送方法に対する非模擬入力内容として「通常配送のみ」、「送料有料」が、夫々提示されている。また、図８に示す例では、模擬入力内容と非模擬入力内容が同じであった即落価格、及び開始時間に対応する入力欄に模擬入力内容が表示されている。
【０１０６】
なお、模擬入力内容及び非模擬入力内容は、例えば、これに対応する入力欄又は入力欄の近傍の位置が例えばマウスオーバーされることで表示されるように構成してもよい。
【０１０７】
そして、出品者は、図８に示すように入力欄（又は選択欄）内に表示された模擬入力内容と、その近傍に表示された非模擬入力内容を確認し、必要に応じて模擬入力内容を変更する。その後、出品者は、次のステップに進んで、最終的に出品を確定する操作を行うことで、上記各入力欄に入力された入力内容が各設定項目に対して設定される。
【０１０８】
以上説明したように、上記実施例２によれば、出品者が商品を出品する際に、当該出品者による商品の出品目的に適合する他の商品の取引履歴情報に加え、出品目的に適合しない他の商品の取引履歴情報を非適合取引履歴情報に基づいて、当該出品にあたり設定される設定項目に対する模擬入力内容を示す提示情報が生成され、当該提示情報が出品者のユーザ端末Ｔ１に送信されるので、商品の出品目的に応じた、より精度の高い情報を出品者に効果的に提示することができる。
【０１０９】
また、上記適合取引履歴情報と上記不適合取引履歴情報との間において同一の設定項目のうち相違する内容が設定された設定項目に対する模擬入力内容を強調して出品者に提示する構成によれば、出品者に対して、出品目的に影響する設定項目を一目で把握させることができる。
【０１１０】
また、上記模擬入力内容と上記非模擬入力内容を比較可能に出品者に提示する構成によれば、出品者に対して、出品目的に影響する設定項目を一目で把握させることができるとともに、上記模擬入力内容からどの程度変更した場合、出品目的に合わなくなるかを把握させることができる。
【０１１１】
（実施例３）
次に、図９等を用いて、実施例３に係るオークションへの出品処理について説明する。この実施例３は、出品目的に適合する商品の取引履歴情報を用いて、出品者により入力された入力内容の妥当性をチェックした上で提示情報を生成する実施例である。図９は、実施例３において、オークション処理サーバＳＡのシステム制御部４における出品処理の一部を示すフローチャートである。なお、ステップＳ２１〜ステップＳ２６の処理は、図７に示すステップＳ１１〜ステップＳ１６の処理と同様であるので重複する説明を省略する。
【０１１２】
実施例３では、図９に示すステップＳ２６において上記実施例２と同様に出品目的に適合しない商品の取引履歴情報の抽出処理が行われた後、オークション処理サーバＳＡのシステム制御部４は、ユーザ端末Ｔ１からの入力情報の受信を待機する。なお、この待機は所定時間経過によりタイムアウトとなる。
【０１１３】
そして、例えば、図５に示す設定項目入力部５１ｂにおいて、出品者は、操作部を介して、複数の設定項目の少なくとも一部に対して出品条件等の入力を行うと、ユーザ端末Ｔ１は、当該出品者により入力された入力内容を示す入力情報をネットワークＮＷを介してオークション処理サーバＳＡへ送信する。ここで、入力情報の送信は、例えば、１又は複数の設定項目に入力される毎に行われるように構成してもよいし、入力フォームページ５１に設けられた確認ボタン５１ｃが出品者により指定されたときに行われるように構成してもよい。ここで、確認ボタン５１ｃが出品者により指定されたときに行われる場合、ユーザ端末Ｔ１は、入力された出品目的を示す出品目的情報と、入力されたジャンル及び商品名を示す商品情報を、確認ボタン５１ｃが出品者により指定されたときに、上記入力情報とともにオークション処理サーバＳＡに送信するように構成してもよい。
【０１１４】
こうして、オークション処理サーバＳＡのシステム制御部４は、ユーザ端末Ｔ１からの入力情報を受信すると（ステップＳ２７）、上記適合取引履歴情報と上記不適合取引履歴情報との間において同一の設定項目のうち相違する内容が設定された設定項目を特定し、適合取引履歴情報において当該特定した設定項目に設定された内容を模擬入力内容として抽出する（ステップＳ２８）。この処理で、出品目的に影響する設定項目が特定されるとともに、当該設定項目に対する模擬入力内容が抽出される。なお、模擬入力内容の抽出方法については、実施例１又は２と同様である。
【０１１５】
次いで、システム制御部４は、上記ステップＳ２７で受信された入力情報と上記ステップＳ２５で抽出された適合取引履歴情報との間において同一の設定項目であり且つ上記ステップＳ２８で特定された設定項目のうち相違する内容が設定された設定項目を適合取引履歴情報から特定する（ステップＳ２９）。つまり、出品目的に影響する設定項目のうち、出品者による実際の入力内容と、その模擬入力内容が相違する設定項目が特定される。
【０１１６】
なお、ステップＳ２９において、システム制御部４は、上記ステップＳ２７で受信された入力情報と上記ステップＳ２５で抽出された適合取引履歴情報との間において同一の設定項目のうち相違する内容が設定された設定項目を適合取引履歴情報から特定するように構成（つまり、不適合取引履歴情報を用いない）してもよい。この場合、上記ステップＳ２６の処理を行う必要はなく、上記ステップＳ２８で、適合取引履歴情報と不適合取引履歴情報との間において同一の設定項目のうち相違する内容が設定された設定項目を特定する必要はない。
【０１１７】
次いで、上記ステップＳ２９で特定された設定項目から、処理対象となる設定項目を一つ選択する（ステップＳ３０）。なお、選定項目は、ランダムに選択されてもよいし、各設定項目に付与された識別番号順に選択されてもよい。
【０１１８】
次いで、システム制御部４は、上記ステップＳ３０で選択された設定項目が差分値算出対象の設定項目であるか否かを判定する（ステップＳ３１）。例えば、設定される内容が価格や時間等の値で表される場合、差分値算出対象の設定項目であると判定される。一方、設定される内容が有又は無等であり、値で表されない場合、差分値算出対象の設定項目でないと判定される。そして、上記ステップＳ３０で選択された設定項目が差分値算出対象の設定項目であると判定された場合には（ステップＳ３１：ＹＥＳ）、ステップＳ３２に進む。一方、上記ステップＳ３０で選択された設定項目が差分値算出対象の設定項目でないと判定された場合には（ステップＳ３１：ＮＯ）、システム制御部４は、上記ステップＳ３０で選択された設定項目を模擬入力内容の提示対象として決定し（ステップＳ３４）、ステップＳ３５に進む。
【０１１９】
なお、上記ステップＳ３０で選択された設定項目が差分値算出対象の設定項目である場合に、ステップＳ３２に進まず、ステップＳ３４に進んで模擬入力内容の提示対象として決定されるように構成してもよい。
【０１２０】
ステップＳ３２では、システム制御部４は、上記ステップＳ３０で選択された設定項目に対する上記模擬入力内容と、当該設定項目と同一の設定項目に対して入力された入力内容（上記ステップＳ２７で受信された入力情報に示される入力内容）との間の相違の大きさを示す差分値を算出する。例えば、設定項目が開始価格又は即落価格である場合、模擬入力内容と入力内容との価格差が差分値として算出される。また、例えば、設定項目が開始時間又は終了時間である場合、模擬入力内容と入力内容との時間差が差分値として算出される。
【０１２１】
次いで、システム制御部４は、上記ステップＳ３２で算出された差分値が閾値以上であるか否を判定する（ステップＳ３３）。つまり、出品者による入力内容が模擬入力内容に比べて閾値以上の差があるか否かが判定される。この閾値は、設定項目毎に定められる。そして、当該差分値が閾値以上であると判定された場合には（ステップＳ３３：ＹＥＳ）、システム制御部４は、上記ステップＳ３０で選択された設定項目を模擬入力内容の提示対象として決定し（ステップＳ３４）、ステップＳ３５に進む。一方、当該差分値が閾値以上でないと判定された場合には（ステップＳ３３：ＮＯ）、上記ステップＳ３０で選択された設定項目が模擬入力内容の提示対象として決定されることなくステップＳ３５に進む。これは、入力内容と模擬入力内容との間の差が、出品目的に影響しない程度の小さい差であれば、模擬入力内容を出品者に提示しないことで煩雑さを回避する趣旨である。
【０１２２】
ステップＳ３５では、システム制御部４は、上記ステップＳ２９で特定された設定項目で、未だステップＳ３０で選択されていない設定項目があるか否かを判定する。そして、未だ選択されていない設定項目があると判定された場合には（ステップＳ３５：ＹＥＳ）、システム制御部４は、ステップＳ３０に戻り、未だ選択されていない設定項目を、処理対象となる設定項目として選択し、上記と同様に、ステップＳ３１以降の処理を行う。一方、未だ選択されていない設定項目がないと判定された場合には（ステップＳ３５：ＮＯ）、ステップＳ３６に進む。
【０１２３】
ステップＳ３６では、システム制御部４は、上記ステップＳ３４で模擬入力内容の提示対象として決定された設定項目に対して設定された内容に基づいて、当該設定項目に対する模擬入力内容を示す提示情報の生成処理を行う。例えば、システム制御部４は、提示対象として決定された設定項目に対する模擬入力内容を示すとともに、出品者に対して入力の注意を促す注意メッセージ（注意を促す情報の一例）を示す提示情報を生成する。この提示情報は、例えば、入力フォームページ５１における設定項目入力部５１ｂに設けられた上記設定項目に対応する入力欄（出品者により入力された入力内容が表示されている入力欄）の近傍に上記模擬入力内容と上記注意メッセージとを表示させるデータである。ただし、上記提示情報に上記注意メッセージが示されなくても構わない。
【０１２４】
なお、入力フォームページ５１における確認ボタン５１ｃが出品者により指定されたときに、ユーザ端末Ｔ１から上記入力情報等がオークション処理サーバＳＡに送信されるように構成する場合がある。この場合、上記生成される提示情報は、例えば、入力フォームページ５１における設定項目入力部５１ｂに設けられた上記設定項目に対応する入力欄に入力された入力内容を確認させるための確認ページであって、当該入力内容に対応する模擬入力内容と上記注意メッセージを示す確認ページであってもよい。
【０１２５】
そして、システム制御部４は、上記ステップＳ３６で生成された提示情報をネットワークＮＷを介してユーザ端末Ｔ１へ送信する（ステップＳ３７）。
【０１２６】
こうして、ユーザ端末Ｔ１は、提示情報を受信すると、これを入力フォームページ５１の構造化文書内に組み込み、当該提示情報に示される設定項目に対応する入力欄（又は選択欄）の近傍に上記模擬入力内容と上記注意メッセージを表示する。図１０は、実施例３において、上記模擬入力内容と上記注意メッセージが表示された入力フォームページの表示例を示す図である。図１０に示す例では、開始価格、及び配送方法に対応する入力欄の近傍に模擬入力内容を含む注意メッセージが表示されている。図１０の例では、「注意！！開始価格は」及び「からの方が良いです。」の部分が注意メッセージであり、「１円」の部分が模擬入力内容である。また、「注意！！」及び「とした方が良いです。」の部分が注意メッセージであり、「送料無料」の部分が模擬入力内容である。なお、「注意！！開始価格は１円からの方が良いです。」と「注意！！送料無料とした方が良いです。」の記述は、模擬入力内容を含む注意メッセージと言うこともできる。なお、このような注意メッセージと共に或いは当該メッセージに代えて、入力の注意を促すマーク（例えば、図形、絵柄等）を表示したり、模擬入力内容の提示対象の設定項目の入力欄（又は選択欄）の背景色を他の部分とは異なる目立つ色（例えば、赤）にするように構成してもよい。このようなマークや目立つ色も注意を促す情報の一例である。
【０１２７】
なお、模擬入力内容及び注意メッセージは、例えば、これに対応する入力欄又は入力欄の近傍の位置が例えばマウスオーバーされることで表示されるように構成してもよい。
【０１２８】
そして、出品者は、図１０に示すように入力欄（又は選択欄）内に表示された模擬入力内容及び注意メッセージを確認し、必要に応じて入力内容を変更する。その後、出品者は、次のステップに進んで、最終的に出品を確定する操作を行うことで、上記各入力欄の入力された入力内容が各設定項目に対して設定される。
【０１２９】
以上説明したように、上記実施例３によれば、出品者が商品を出品する際に、当該出品者により入力された入力内容を示す入力情報と、上記適合取引履歴情報との間において同一の設定項目のうち相違する内容が設定された設定項目に対する模擬入力内容を示す提示情報が生成され、当該提示情報が出品者のユーザ端末Ｔ１に送信されるので、上記設定項目に対して出品者により入力された入力内容の中で、出品目的に合わない入力内容と、模範となる模擬入力内容を出品者に効果的に提示することができる。更に、上記模擬入力内容と上記注意メッセージを出品者に提示する構成によれば、出品者に対して入力の注意を効果的に促すことができる。
【０１３０】
なお、上記適合取引履歴情報における所定の設定項目として、例えば、商品のジャンルとすれば、当該ジャンルに対して設定された内容が模擬入力内容として抽出され、出品者に提示することができる。これにより、例えば、出品者が入力した商品のジャンルが不適切であった場合にも、適切なジャンルを示す模擬入力内容を出品者に効果的に提示することができる。
【０１３１】
（実施例４）
次に、実施例４に係るオークションへの出品処理について説明する。この実施例４は、実施例１〜３の抽出処理において、出品者の属性に合った取引履歴情報を抽出する実施例である。実施例４では、上記ステップＳ５、「ステップＳ１５と１６」、又は「ステップＳ２５とＳ２６」における抽出処理において、オークション処理サーバＳＡのシステム制御部４は、ユーザ端末Ｔ１を使用してログインしている今回の出品者（上記ステップＳ２、Ｓ１２、又はＳ２２で商品情報を送信したユーザ端末Ｔ１のユーザ）が業者と個人の何れの属性であるかを判別し、且つ、上記ステップＳ３，Ｓ１３又はＳ２３で取得された取引履歴情報に示される商品の出品者が業者と個人の何れの属性であるかを取引履歴情報毎に判別する。ここで、出品者が業者と個人の何れの属性であるかは、例えば当該出品者の過去の取引履歴情報を参照され、当該出品者の所定期間（例えば、１週間）内における出品件数が所定件数（例えば、１００件）以上と多いか否かにより判定される。なお、ユーザ情報データベース２１に個人であるか業者であるかを示す情報がユーザＩＤに対応付けられて登録されていれば、この情報から業者と個人の何れの属性であるかが判定することができる。
【０１３２】
そして、システム制御部４は、ユーザ端末Ｔ１を使用する今回の出品者と同じ属性である他の出品者により過去に出品された商品の取引履歴情報であって、且つ上記出品目的に適合する取引履歴情報を適合取引履歴情報として抽出（実施例２又は実施例３では、適合取引履歴情報に加えて、上記出品目的に適合しない取引履歴情報を不適合取引履歴情報として抽出）する。例えば、ユーザ端末Ｔ１を使用する今回の出品者が個人であれば、個人である他の出品者により過去に出品された商品の取引履歴情報が抽出対象となる。一方、ユーザ端末Ｔ１を使用する今回の出品者が業者であれば、業者である他の出品者により過去に出品された商品の取引履歴情報が抽出対象となる。これは、例えば出品者が個人である場合、業者の取引履歴情報から抽出された模擬入力内容を当該出品者に提示することが適切でない場合がある（例えば、業者特有の配送方法等、個人では利用できない内容がある）ことを考慮したものである。なお、抽出処理以降の処理は実施例１〜３と同様である。
【０１３３】
以上説明したように、上記実施例４によれば、出品者の属性を合った取引履歴情報を抽出することで、出品者の属性に合ったより適切な模擬入力内容を出品者に提示することができる。
【０１３４】
なお、上記抽出処理で出品者が業者と個人の何れの属性であるかを判別し、出品者と同じ属性である他の出品者により過去に出品された商品の取引履歴情報を抽出することに代えて、上記ステップＳ３，Ｓ１３又はＳ２３の処理において、出品者が業者と個人の何れの属性であるかを判別し、出品者と同じ属性である他の出品者により過去に出品された商品の取引履歴情報であって、且つ上記商品情報に関連する商品の取引履歴情報をオークションデータベース２２から取得するように構成してもよく、この場合も上記と同様の効果を奏することができる。
【０１３５】
（実施例５）
次に、実施例５に係るオークションへの出品処理について説明する。この実施例５は、実施例１〜３の抽出処理において、他の商品と比べて目立つ態様で表示されるように設定された商品と当該設定がされていない商品とを区別して取引履歴情報を抽出する実施例である。実施例５では、上記ステップＳ５、「ステップＳ１５と１６」、又は「ステップＳ２５とＳ２６」における抽出処理において、オークション処理サーバＳＡのシステム制御部４は、上記ステップＳ３，Ｓ１３又はＳ２３で取得された取引履歴情報を参照して、他の商品と比べて目立つ態様で表示されるように設定された商品の取引履歴情報を抽出対象から除外して、上記出品目的に適合する取引履歴情報を適合取引履歴情報として抽出（実施例２又は実施例３では、適合取引履歴情報に加えて、上記出品目的に適合しない取引履歴情報を不適合取引履歴情報として抽出）する。他の商品と比べて目立つ態様で表示される設定の例としては、上述したように、注目のオークション設定、出品広告設定、及び商品情報の強調表示する設定が挙げられる。このような設定がなされた商品の取引履歴情報は、出品目的に対して直接的な影響力が強く参考になり難い。そのため、当該設定がなされた商品の取引履歴情報は除外される。ただし、上記構成は、ユーザ端末Ｔ１を使用してログインしている今回の出品者により注目のオークション設定、出品広告設定、及び商品情報の強調表示する設定の何れもなされない場合に効果的である。しかし、他の商品と比べて目立つ態様で表示される設定がなされる場合（例えば、ユーザ端末Ｔ１から受信された情報等中に注目のオークション設定有が示されている場合）、上記構成とは逆に、システム制御部４は、上記ステップＳ３，Ｓ１３又はＳ２３で取得された取引履歴情報から、他の商品と比べて目立つ態様で表示されるように設定された商品の取引履歴情報のみを適合取引履歴情報として抽出する（不適合取引履歴情報の場合も同様）ことで、出品形態の条件を揃えるように構成すると効果的である。なお、抽出処理以降の処理は実施例１〜３と同様である。
【０１３６】
以上説明したように、上記実施例５によれば、他の商品と比べて目立つ態様で表示される設定を考慮して取引履歴情報を抽出することで、出品形態に合ったより適切な模擬入力内容を出品者に提示することができる。
【０１３７】
なお、上記抽出処理で他の商品と比べて目立つ態様で表示されるように設定された商品の取引履歴情報を抽出対象から除外することに代えて、上記ステップＳ３，Ｓ１３又はＳ２３の処理において、他の商品と比べて目立つ態様で表示されるように設定された商品の取引履歴情報を抽出対象から除外して、上記商品情報に関連する商品の取引履歴情報をオークションデータベース２２から取得するように構成してもよく、この場合も上記と同様の効果を奏することができる。また、実施例４の構成と実施例５の構成を組み合わせるように構成してもよい。
【０１３８】
（実施例６）
次に、実施例６に係るオークションへの出品処理について説明する。この実施例６は、実施例１〜５におけるステップＳ３，Ｓ１３又はＳ２３において取得対象となる取引履歴情報（つまり、受信された商品情報に関連する商品の取引履歴情報）として、当該商品情報の一部又は全部を含む商品に関する取引履歴情報を取得する実施例である。店舗等で販売される商品が、主商品とこれに付属する付属品から構成される場合がある。なお、主商品と付属品から構成される商品を「セット商品」と称する。ここで、付属品の例としては、主商品「菓子」に付属する「おまけ」や、初回限定出荷された主商品「光ディスク」に付属する「ポスター」や「ポストカード」等が挙げられる。
【０１３９】
そして、例えば、出品者がセット商品を出品する場合、オークション処理サーバＳＡのシステム制御部４は、上記ステップＳ３，Ｓ１３又はＳ２３において、当該セット商品の商品情報の一部又は全部を含む商品に関する取引履歴情報として、当該セット商品の取引履歴情報と、当該セット商品を構成する主商品のみの取引履歴情報と、当該セット商品を構成する付属品のみの取引履歴情報と、をオークションデータベース２２から取得する。ここで、当該セット商品の商品名又は商品の説明には、主商品の商品名及び付属品の商品名が含まれる場合がある。そこで、システム制御部４は、当該セット商品の商品名又は商品の説明から主商品の商品名及び付属品の商品名を抽出（或いは、他のセット商品の取引履歴情報から抽出されてもよい）、抽出された商品名をキーとして取引履歴情報を取得することができる。次いで、システム制御部４は、当該取得した複数の取引履歴情報から、上記出品目的（例えば、落札価格最大化）に適合する取引履歴情報を適合取引履歴情報として抽出し、当該抽出した複数の適合取引履歴情報を比較して、出品目的に最も適合する適合取引履歴情報を特定する。例えば、システム制御部４は、セット商品の落札価格と、主商品の落札価格と、付属品の落札価格とを比較して、セット商品で出品するよりも、主商品と付属品とを分けて出品する方が割高の場合（例えば、セット商品の落札価格よりも、主商品の落札価格と付属品の落札価格との合計の価格の方が高い場合）には、主商品のみの取引履歴情報と付属品のみの取引履歴情報とを、出品目的に最も適合する適合取引履歴情報として特定する。次いで、システム制御部４は、当該特定した適合取引履歴情報に基づいて、上記設定項目に対する模擬入力内容を示す提示情報を生成する。例えば、主商品の商品名のみ又は付属品のみの商品名のみを含む模擬入力内容を示す提示情報が生成される。
【０１４０】
一方、例えば、出品者がセット商品の中の主商品のみを出品する場合、オークション処理サーバＳＡのシステム制御部４は、上記ステップＳ３，Ｓ１３又はＳ２３において、当該主商品の商品情報の全部を含む商品に関する取引履歴情報として、当該セット商品の取引履歴情報と、当該主商品のみの取引履歴情報と、をオークションデータベース２２から取得する。次いで、システム制御部４は、当該取得した複数の取引履歴情報から、上記出品目的（例えば、落札価格最大化）に適合する取引履歴情報を適合取引履歴情報として抽出し、当該抽出した複数の適合取引履歴情報を比較して、出品目的に最も適合する適合取引履歴情報を特定する。例えば、システム制御部４は、セット商品の落札価格と、主商品の落札価格とを比較して、主商品のみで出品するよりも、セット商品で出品する方が割高の場合には、セット商品のみの取引履歴情報を、出品目的に最も適合する適合取引履歴情報として特定する。次いで、システム制御部４は、当該特定した適合取引履歴情報に基づいて、上記設定項目に対する模擬入力内容を示す提示情報を生成する。例えば、セット商品の商品名のみを含む模擬入力内容を示す提示情報が生成される。
【０１４１】
一方、例えば、出品者がセット商品の中の付属品のみを出品する場合、オークション処理サーバＳＡのシステム制御部４は、上記ステップＳ３，Ｓ１３又はＳ２３において、当該付属品の商品情報の全部を含む商品に関する取引履歴情報として、当該セット商品の取引履歴情報と、当該付属品のみの取引履歴情報と、をオークションデータベース２２から取得する。次いで、システム制御部４は、当該取得した複数の取引履歴情報から、上記出品目的（例えば、落札価格最大化）に適合する取引履歴情報を適合取引履歴情報として抽出し、当該抽出した複数の適合取引履歴情報を比較して、出品目的に最も適合する適合取引履歴情報を特定する。例えば、システム制御部４は、セット商品の落札価格と、付属品の落札価格とを比較して、付属品のみで出品するよりも、セット商品で出品する方が割高の場合には、セット商品のみの取引履歴情報を、出品目的に最も適合する適合取引履歴情報として特定する。次いで、システム制御部４は、当該特定した適合取引履歴情報に基づいて、上記設定項目に対する模擬入力内容を示す提示情報を生成する。例えば、付属品の商品名のみを含む模擬入力内容を示す提示情報が生成される。
【０１４２】
また、出品者が１巻〜Ｘ（Ｘ：２以上の自然数）巻まで発行された本（書籍）を出品する場合において、例えば複数巻（例えば、全巻）まとめて出品する場合と、１巻ずつ出品する場合がある。例えば、出品者が複数巻まとめて本を出品する場合、オークション処理サーバＳＡのシステム制御部４は、上記ステップＳ３，Ｓ１３又はＳ２３において、当該本の商品情報の全部又は一部を含む商品に関する取引履歴情報として、複数巻まとめて出品された本の取引履歴情報と、１巻ずつ出品された本の取引履歴情報と、をオークションデータベース２２から取得する。次いで、システム制御部４は、当該取得した複数の取引履歴情報から、上記出品目的（例えば、落札価格最大化）に適合する取引履歴情報を適合取引履歴情報として抽出し、当該抽出した複数の適合取引履歴情報を比較して、出品目的に最も適合する適合取引履歴情報を特定する。例えば、システム制御部４は、複数巻まとめて出品された本の落札価格と、１巻ずつ出品された本の落札価格とを比較して、複数巻まとめて出品するよりも、１巻ずつ出品する方が割高の場合（例えば、３巻の落札価格が他の巻に比べて高いような場合）には、ある巻について出品された本の取引履歴情報を、出品目的に最も適合する適合取引履歴情報として特定する。次いで、システム制御部４は、当該特定した適合取引履歴情報に基づいて、上記設定項目に対する模擬入力内容を示す提示情報を生成する。例えば、ある巻の巻番号（例えば、商品の説明文から取得）を含む模擬入力内容を示す提示情報が生成される。
【０１４３】
以上説明したように、上記実施例６によれば、主商品単独での出品、付属品単独での出品、及びセット商品での出品のうちどの出品形態が出品目的に合うかを模擬入力内容で出品者に提示することができる。また、１巻ずつ出品、及び複数巻纏めて出品のうちどの出品形態が出品目的に合うかを模擬入力内容で出品者に提示することができる。
【０１４４】
（実施例７）
次に、実施例７に係るオークションへの出品処理について説明する。この実施例７は、実施例１〜６におけるステップＳ４，Ｓ１４又はＳ２４においてシステム制御部４が出品者による出品目的を特定する実施例である。実施例７における出品目的の特定は、出品者による出品目的の明示的な指定を介さないため、出品目的の推定と称するものとする。この場合、入力フォームページ５１には出品目的入力部５１ａが設けられず、そのため、上記ステップＳ２，Ｓ１２又はＳ２２において、ユーザ端末Ｔ１からの出品目的情報は送信されない（商品情報、又は商品情報と入力情報が送信される）。出品目的の推定は、商品の被出品者の属性を示す属性情報に基づいて行われる場合と、設定項目に対して出品者により入力された入力内容を示す入力情報に基づいて行われる場合とがある。
【０１４５】
先ず、出品目的の推定が、商品の被出品者の属性を示す属性情報に基づいて行われる場合について説明する。この場合、オークション処理サーバＳＡのシステム制御部４は、上記ステップＳ３，Ｓ１３又はＳ２３において取得した各取引履歴情報から、商品の被出品者のユーザＩＤを取得する。ここで、被出品者とは、例えば当該商品の入札者と落札者の少なくとも何れか一方である。そして、システム制御部４は、取得した各ユーザＩＤをキーとして、ユーザ情報データベース２１から、各被出品者の属性（例えば、年齢、性別、興味）を示す属性情報を取得する。次いで、システム制御部４は、各被出品者の属性を示す属性情報に基づいて、出品目的を推定する。例えば、システム制御部４は、各被出品者の年齢が含まれる各年齢層（例えば、「１５〜１８才の年齢層」、「１９才〜５９才の年齢層」、「６０才以上の年齢層」）毎の人数を算出し、最も人数が多い年齢層に応じて出品目的を推定する。例えば、「１５〜１８才の年齢層」の人数が最も多い場合、出品目的が「中高生向けに売りたい」として決定される。一方、例えば、「６０才以上の年齢層」の人数が最も多い場合、出品目的が「高齢者向けに売りたい」として決定される。また、別の例として、システム制御部４は、各被出品者の性別毎の人数を算出し、最も人数が性別に応じて出品目的を推定する。例えば、男性の人数が女性の人数より多い場合、出品目的が「男性向けに売りたい」として決定される。更に、別の例として、上記年齢層を性別によって分け（「１５〜１８才の男性の年齢層」、「１５〜１８才の女性の年齢層」、「６０才以上の男性の年齢層」、「６０才以上の女性の年齢層」）、各年齢層毎の人数を算出し、最も人数が多い年齢層に応じて出品目的を推定する。例えば、「６０才以上の男性の年齢層」の人数が最も多い場合、出品目的が「男性の高齢者向けに売りたい」として決定される。なお、システム制御部４は、各被出品者の興味（例えば、旅行、音楽、映画等）毎の人数を算出し、最も人数が興味に応じて出品目的（例えば、旅行に興味がある人に売りたい）を推定するように構成してもよい。
【０１４６】
次に、出品目的の推定が、設定項目に対して出品者により入力された入力内容を示す入力情報に基づいて行われる場合について説明する。この場合、オークション処理サーバＳＡのシステム制御部４は、上記ステップＳ２，Ｓ１２又はＳ２２において、ユーザ端末Ｔ１から出品される商品の商品情報と、出品者により入力された入力内容を示す入力情報を受信する。なお、商品情報と入力情報とは、ユーザ端末Ｔ１から同じタイミングで一緒に送信されてもよいし、異なるタイミングで別々に送信されてもよい。また、ここでの入力情報は、出品目的の特定に必要な入力情報であり、例えば、価格と時間の少なくとも何れか一方を設定するための設定項目（例えば、開始価格、即落価格、最低落札価格、開始時間、終了時間）に対して入力された入力内容を示す入力情報である。また、出品目的の特定に必要な入力情報の送信は、入力フォームページ５１に設けられた送信ボタンが出品者により指定されたときに行われるように構成してもよいし、出品目的の特定に必要な所定の入力内容が入力されたときに行われるように構成してもよい。そして、システム制御部４は、上記入力情報を受信すると、当該入力情報から出品される商品の価格（例えば、即落価格、開始価格又は最低落札価格）を示す値を取得し、当該取得された例えば即落価格（開始価格又は最低落札価格でもよい）を示す値と第１閾値を比較して、その大小関係に基づいて出品目的を推定する。この第１閾値は、例えば、落札相場データベース２３から取得された、出品される商品の相場価格（落札相場）を示す値である。例えば、相場価格より即落価格が大きい場合、出品目的が「落札価格最大化」として決定される一方、相場価格より即落価格が小さい場合、出品目的が「売り切り」として決定される。また、別の例として、システム制御部４は、上記入力情報から出品期間を示す値を取得し、当該取得された出品期間を示す値と第２閾値を比較して、その大小関係に基づいて出品目的を推定する。この第２閾値は、例えば、出品される商品の平均的な出品期間（以下、「平均出品期間」という）を示す値である。また、出品期間は、上記入力情報に含まれる開始時間と終了時間との間の期間である。例えば、出品期間より平均出品期間が短い場合、出品目的が「早期入札」として決定される。なお、システム制御部４は、商品の価格を示す値と第１閾値との大小関係、及び出品期間を示す値と第２閾値との大小関係に基づいて出品目的を推定するように構成してもよい。例えば、相場価格より即落価格が大きく、且つ出品期間より平均出品期間が長い場合、出品目的が「落札価格最大化」として決定される一方、それ以外の場合、出品目的が「売り切り」として決定される。
【０１４７】
以上のように出品目的が推定されると、実施例１〜実施例６と同様に、当該出品目的に適合する商品の取引履歴情報が抽出され、抽出された前記適合取引履歴情報に基づいて、上記設定項目に対する模擬入力内容を示す提示情報が生成され、当該提示情報がユーザ端末Ｔ１に送信されることになる。
【０１４８】
以上説明したように、上記実施例７によれば、商品の出品目的を、出品者による明示的な指定を介さずに推定することができるため、出品者が出品目的を考えて指定する手間を省くことができる。
【０１４９】
なお、実施例７では、出品者による出品目的の明示的な指定を介さずに、所定の設定項目に対する模擬入力内容が当該出品者に提示されるが、出品操作が熟練した出品者等にとっては当該模擬入力内容の提示が煩わしいことも想定される。そこで、出品目的を推定するか否かを、出品者の過去の出品回数と直近の出品日時の少なくとも何れか一方に基づいて決定するように構成してもよい。例えば、システム制御部４は、出品者（ログインしたユーザ）のユーザＩＤをキーとして、オークションデータベース２２から出品情報を取得する。そして、システム制御部４は、当該出品情報に基づいて出品者の過去の出品回数を算出し、当該出品回数が所定回数（例えば、３回）未満の場合には上記出品目的の推定を行い、当該出品回数が所定回数以上の場合には上記出品目的の推定を行わないように構成する。この場合、出品回数が多い出品者には模擬入力内容が提示されないようにすることができる。或いは、システム制御部４は、上記取得した出品情報から直近の出品日時を取得し、取得した出品日時と現在日時との間の経過期間を算出し、当該経過期間が所定期間（例えば、３０日）以上の場合には上記出品目的の推定を行い、当該経過期間が所定期間未満の場合には上記出品目的の推定を行わないように構成する。この場合、前回の出品から時間があまり経過していない出品者には模擬入力内容が提示されないようにすることができる。
【０１５０】
また、上記実施形態においては、電子商取引の一例として、オークションを例にとって説明したが、オークション以外にも、例えば、ショッピングサイトにおける商品の売買において店舗が商品を出品するケースに対しても本発明は適用可能である。
【符号の説明】
【０１５１】
１  通信部
２  記憶部
３  入出力インターフェース部
４  システム制御部
５  システムバス
Ｔｎ  ユーザ端末
ＳＡ  オークション処理サーバ
ＮＷ  ネットワーク
【図１】
0005498430.tif 000002
【図２】
0005498430.tif 000003
【図３】
0005498430.tif 000004
【図４】
0005498430.tif 000005
【図５】
0005498430.tif 000006
【図６】
0005498430.tif 000007
【図７】
0005498430.tif 000008
【図８】
0005498430.tif 000009
【図９】
0005498430.tif 000010
【図１０】
0005498430.tif 000011